(57)【要約】【課題】  手術を効率的に行うことができる手術プロセス管理システムを提供する。【解決手段】  手術対処者の患者情報が手術台毎に手術対象患者情報表示欄６２に表示される。ここから患者識別情報を指定操作して術前処置患者リスト欄６３に移動することで、患者搬入指示がされる。また、プロセスの進行に応じて、術前処置患者リスト欄６３から青６４、並びに手術中患者リスト欄６４から術後処置患者リスト欄６５に患者識別情報が自動的に移動して表示される。患者識別情報を指定して術後処置患者リスト欄６５から帰室欄６６に移動操作することで、患者搬出の処理が行われる。【選択図】  図８
2011224336.tif 000002
【特許請求の範囲】
【請求項１】
手術のプロセスを管理する手術プロセス管理システムであって、
複数のプロセス項目からなる手術プロセス全体を管理する手術プロセス管理装置と、
患者待機場所での病棟術前処置、手術室への患者搬入、並びに前記手術室からの患者搬出において用いられ、予め決められた複数のプロセス項目を画面表示し、当該プロセス項目の完了を示す操作指示が入力されると、その旨を示す通知信号を前記手術プロセス管理装置に送信する病院部門手術支援装置と、
手術室内での手術のプロセス管理に用いられ、予め決められた複数のプロセス項目を画面表示し、当該プロセス項目の完了を示す操作指示が入力されると、その旨を示す通知信号を前記手術プロセス管理装置に送信する手術部門手術記録装置と
を有し、
前記手術プロセス管理装置は、
手術対象の患者の前記プロセスのステータスを示すステータス情報と、前記手術室内での術前処置中の患者リスト情報と、前記手術室内での手術中の患者リスト情報と、前記手術室内での術後処置中の患者リスト情報とを記憶するメモリと、
前記病院部門手術支援装置および前記手術部門手術記録装置から前記通知信号に基づいて、前記ステータス情報、前記術前処置中の患者リスト情報、前記手術中の患者リスト情報、並びに前記術後処置中の患者リスト情報を更新し、前記手術対象の患者の患者情報、前記ステータス情報、前記術前処置中の患者リスト情報、前記手術中の患者リスト情報および前記術後処置中の患者リスト情報を画面表示する処理を行う処理手段と
を有する
手術プロセス管理システム。
【請求項２】
前記メモリは、患者識別情報と、前記ステータス情報と、手術台情報と、術順情報と、術者情報と、術式情報とを対応付けて示す患者管理データを記憶し、
前記処理手段は、前記患者管理データを基に、前記手術台情報で示される複数の手術台の各々について、当該手術台に手術が行われる各患者の前記患者識別情報と、前記ステータス情報と、術順情報と、術者情報とを対応付けてブロック表示し、
前記術前処置中の患者リスト情報に示される前記患者識別情報を検索キーとして用いて前記患者管理データを検索して当該患者識別情報に対応する前記手術台情報と前記術順情報とを取得し、当該取得した術順情報の次の術順情報を持つ前記患者識別情報を特定し、当該特定した患者識別情報の前記ブロックを視覚的に強調する表示を行う
請求項１に記載の手術プロセス管理システム。
【請求項３】
前記処理手段は、前記通知信号に基づいて、手術中になった患者の前記患者識別情報を前記術前処置中の患者リスト情報から前記手術中の患者リスト情報に移行させる処理を行い、
当該移行した前記患者識別情報と同一の前記術台情報が割り当てられ、且つ次の術順を示す前記術順情報が割り当てられた前記患者識別情報を特定し、当該特定した患者識別情報の前記ブロックを視覚的に強調する表示を行い、
当該ブロックを画面上で指定して前記術前処置中の患者リスト情報の表示欄に移動する操作が行われたことを示す操作信号を検出すると、当該特定した患者識別情報を前記術前処置中の患者リスト情報に追加する
請求項２に記載の手術プロセス管理システム。
【請求項４】
前記処理手段は、前記通知信号に基づいて、手術中から術後処置に移行した患者の前記患者識別情報を前記手術中の患者リスト情報から前記術後処置中の患者リスト情報に移行させる処理を行う
請求項３に記載の手術プロセス管理システム。
【請求項５】
前記処理手段は、前記手術部門手術記録装置からの通知信号に基づいて、前記術後処置が終了したと判断した患者識別情報を前記術後処置中の患者リスト情報の表示欄で視覚的に強調する表示をし、
当該強調した患者識別情報を画面上で指定して帰室を示す画像ブロック欄に移動する操作が行われたことを示す操作信号を検出すると、当該特定した患者識別情報を前記術後処置中の患者リスト情報から削除し、当該患者識別情報に対応した前記ステータス情報を帰室を示すように更新する
請求項４に記載の手術プロセス管理システム。
【請求項６】
前記メモリは、前記病院部門手術支援装置および前記手術部門手術記録装置が管理するプロセス項目情報と、各プロセス項目に要する時間情報とを対応付けて示すプロセスデータと、術式情報と当該術式の術前処理に要する時間情報とを対応付けて示す術前処理時間データを記憶し、
前記処理手段は、前記手術部門手術記録装置からの通知信号と前記プロセスデータとに基づいて、手術の残りのプロセス項目を特定し、当該特定したプロセス項目に対応付けられた前記時間情報を累積して総時間情報を算出し、前記患者管理データを参照して当該手術の次に行われる手術の前記術式情報を取得し、当該術式情報を検索キーとして用いて前記術前処理時間データを参照して前記取得した術式情報の術前処理に要する時間情報を取得し、
前記取得した前記術前処理に要する時間情報と、前記算出した総時間情報とを比較して、前記次に行われる手術の前記ブロックを視覚的に強調する処理を行う
請求項５に記載の手術プロセス管理システム。
【請求項７】
前記病院部門手術支援装置は、
上申入力欄を画面表示し、当該上申入力欄に上申情報が入力されると、
当該画面表示に対応する患者識別情報を検索キーとして、当該患者の手術についてコメントできる担当者識別情報を検索し、
当該検索した担当者識別情報を基に、病院内の当該担当者がいる場所の通信装置を特定し、当該特定した通信装置に前記上申入力欄に入力された前記上申情報を送信し、
前記通信装置から前記上申情報に対応した回答情報を受信すると、当該回答情報を画面表示する
請求項６に記載の手術プロセス管理システム。
【請求項８】
前記病院部門手術支援装置は、
前記上申入力欄を含む複数の入力欄を画面表示し、
前記入力欄の識別情報と、当該入力欄に入力された手書の文字パターンを示す手書データと、入力された手書の文字パターンをテキスト変換したテキストデータと、入力された音声データとを対応付けてメモリに記憶する
請求項７に記載の手術プロセス管理システム。
【請求項９】
複数のプロセス項目からなる手術プロセス全体を管理する手術プロセス管理装置であって、
患者待機場所での病棟術前処置、手術室への患者搬入、並びに前記手術室からの患者搬出において用いられ、予め決められた複数のプロセス項目を画面表示し、当該プロセス項目の完了を示す操作指示が入力されると、その旨を示す通知信号を前記手術プロセス管理装置に送信する病院部門手術支援装置と、手術室内での手術のプロセス管理に用いられ、予め決められた複数のプロセス項目を画面表示し、当該プロセス項目の完了を示す操作指示が入力されると、その旨を示す通知信号を前記手術プロセス管理装置に送信する手術部門手術記録装置と通信を行うインタフェースと、
手術対象の患者の前記プロセスのステータスを示すステータス情報と、前記手術室内での術前処置中の患者リスト情報と、前記手術室内での手術中の患者リスト情報と、前記手術室内での術後処置中の患者リスト情報とを記憶するメモリと、
前記病院部門手術支援装置および前記手術部門手術記録装置から前記通知信号に基づいて、前記ステータス情報、前記術前処置中の患者リスト情報、前記手術中の患者リスト情報、並びに前記術後処置中の患者リスト情報を更新し、前記手術対象の患者の患者情報、前記ステータス情報、前記術前処置中の患者リスト情報、前記手術中の患者リスト情報および前記術後処置中の患者リスト情報を画面表示する処理を行う処理手段と
を有する
手術プロセス管理装置。
【請求項１０】
手術のプロセスを管理する手術プロセス管理方法であって、
患者待機場所での病棟術前処置、手術室への患者搬入、並びに前記手術室からの患者搬出において用いられ、予め決められた複数のプロセス項目を画面表示し、当該プロセス項目の完了を示す操作指示が入力されると、その旨を示す通知信号を手術プロセス管理装置に送信し、
手術室内での手術のプロセス管理に用いられ、予め決められた複数のプロセス項目を画面表示し、当該プロセス項目の完了を示す操作指示が入力されると、通知信信号を前記手術プロセス管理装置に送信し、
前記手術プロセス管理装置が、手術対象の患者の前記プロセスのステータスを示すステータス情報と、前記手術室内での術前処置中の患者リスト情報と、前記手術室内での手術中の患者リスト情報と、前記手術室内での術後処置中の患者リスト情報とをメモリから読み出し、
前記手術プロセス管理装置が、前記病院部門手術支援装置および前記手術部門手術記録装置から前記通知信号に基づいて、前記ステータス情報、前記術前処置中の患者リスト情報、前記手術中の患者リスト情報、並びに前記術後処置中の患者リスト情報を更新し、
前記手術プロセス管理装置が、前記手術対象の患者の患者情報、前記ステータス情報、前記術前処置中の患者リスト情報、前記手術中の患者リスト情報、前記術後処置中の患者リスト情報を画面表示する処理を行う
手術プロセス管理方法。
【発明の詳細な説明】
【技術分野】
【０００１】
本発明は、病院等で行われる手術のプロセスを管理する手術プロセス管理システム、その方法、その手術プロセス管理装置に関するものである。
【背景技術】
【０００２】
病院では、複数の手術台の各々で手術が行われることが多い。このような手術は、患者が待機場所である病棟でする病棟術前処置、手術室への搬入、手術室での術前処置、手術室での手術、手術室での術後処置、手術室からの搬出等の工程からなる。
従来では、院内の電話や担当者の経験等を基に、これらの工程が進められている。
【先行技術文献】
【特許文献】
【０００３】
【特許文献１】特開２０１０―３１３５号公報
【発明の概要】
【発明が解決しようとする課題】
【０００４】
しかしながら、従来では、上記手術の工程間のやりとりにスムーズにいかずに、各部門において無駄な待ち時間が生じる等することが多く、非効率であるという問題がある。
【０００５】
本発明はかかる事情に鑑みてなされたものであり、その目的は、手術を効率的に行うことができる手術プロセス管理システム、その方法、その手術プロセス管理装置を提供することを目的とする。
【課題を解決するための手段】
【０００６】
上述した従来技術の問題を解決し、上述した目的を達成するために、本発明の手術プロセス管理システムは、手術のプロセスを管理する手術プロセス管理システムであって、複数のプロセス項目からなる手術プロセス全体を管理する手術プロセス管理装置と、患者待機場所での病棟術前処置、手術室への患者搬入、並びに前記手術室からの患者搬出において用いられ、予め決められた複数のプロセス項目を画面表示し、当該プロセス項目の完了を示す操作指示が入力されると、その旨を示す通知信号を前記手術プロセス管理装置に送信する病院部門手術支援装置と、手術室内での手術のプロセス管理に用いられ、予め決められた複数のプロセス項目を画面表示し、当該プロセス項目の完了を示す操作指示が入力されると、その旨を示す通知信号を前記手術プロセス管理装置に送信する手術部門手術記録装置とを有し、前記手術プロセス管理装置は、手術対象の患者の前記プロセスのステータスを示すステータス情報と、前記手術室内での術前処置中の患者リスト情報と、前記手術室内での手術中の患者リスト情報と、前記手術室内での術後処置中の患者リスト情報とを記憶するメモリと、前記病院部門手術支援装置および前記手術部門手術記録装置から前記通知信号に基づいて、前記ステータス情報、前記術前処置中の患者リスト情報、前記手術中の患者リスト情報、並びに前記術後処置中の患者リスト情報を更新し、前記手術対象の患者の患者情報、前記ステータス情報、前記術前処置中の患者リスト情報、前記手術中の患者リスト情報、前記術後処置中の患者リスト情報を画面表示する処理を行う処理手段とを有する。
【０００７】
本発明の手術プロセス管理装置は、複数のプロセス項目からなる手術プロセス全体を管理する手術プロセス管理装置であって、患者待機場所での病棟術前処置、手術室への患者搬入、並びに前記手術室からの患者搬出において用いられ、予め決められた複数のプロセス項目を画面表示し、当該プロセス項目の完了を示す操作指示が入力されると、その旨を示す通知信号を前記手術プロセス管理装置に送信する病院部門手術支援装置と、手術室内での手術のプロセス管理に用いられ、予め決められた複数のプロセス項目を画面表示し、当該プロセス項目の完了を示す操作指示が入力されると、その旨を示す通知信号を前記手術プロセス管理装置に送信する手術部門手術記録装置と通信を行うインタフェースと、手術対象の患者の前記プロセスのステータスを示すステータス情報と、前記手術室内での術前処置中の患者リスト情報と、前記手術室内での手術中の患者リスト情報と、前記手術室内での術後処置中の患者リスト情報とを記憶するメモリと、前記病院部門手術支援装置および前記手術部門手術記録装置から前記通知信号に基づいて、前記ステータス情報、前記術前処置中の患者リスト情報、前記手術中の患者リスト情報、並びに前記術後処置中の患者リスト情報を更新し、前記手術対象の患者の患者情報、前記ステータス情報、前記術前処置中の患者リスト情報、前記手術中の患者リスト情報、前記術後処置中の患者リスト情報を画面表示する処理を行う処理手段とを有する。
【０００８】
本発明の手術プロセス管理方法は、手術のプロセスを管理する手術プロセス管理方法であって、患者待機場所での病棟術前処置、手術室への患者搬入、並びに前記手術室からの患者搬出において用いられ、予め決められた複数のプロセス項目を画面表示し、当該プロセス項目の完了を示す操作指示が入力されると、その旨を示す通知信号を手術プロセス管理装置に送信し、手術室内での手術のプロセス管理に用いられ、予め決められた複数のプロセス項目を画面表示し、当該プロセス項目の完了を示す操作指示が入力されると、その旨を示す通知信信号を前記手術プロセス管理装置に送信し、前記手術プロセス管理装置が、手術対象の患者の前記プロセスのステータスを示すステータス情報と、前記手術室内での術前処置中の患者リスト情報と、前記手術室内での手術中の患者リスト情報と、前記手術室内での術後処置中の患者リスト情報とをメモリから読み出し、前記手術プロセス管理装置が、前記病院部門手術支援装置および前記手術部門手術記録装置から前記通知信号に基づいて、前記ステータス情報、前記術前処置中の患者リスト情報、前記手術中の患者リスト情報、並びに前記術後処置中の患者リスト情報を更新し、前記手術プロセス管理装置が、前記手術対象の患者の患者情報、前記ステータス情報、前記術前処置中の患者リスト情報、前記手術中の患者リスト情報、前記術後処置中の患者リスト情報を画面表示する処理を行う。
【発明の効果】
【０００９】
本発明によれば、手術を効率的に行うことができる手術プロセス管理システム、その方法、その手術プロセス管理装置を提供することができる。
【図面の簡単な説明】
【００１０】
【図１】図１は、本発明の実施形態に係わる手術管理システムの全体構成図である。
【図２】図２は、図１に示す病院部門手術支援装置の構成図である。
【図３】図３は、図２に示す病院部門手術支援装置のディスプレイに表示されるチェック画面を説明するための図である。
【図４】図４は、図１に示す手術部門手術記録装置の構成図である。
【図５】図５は、図４に示す手術部門手術記録装置のディスプレイに表示されるチェック画面を説明するための図である。
【図６】図６は、図１に示す手術プロセス管理装置の構成図である。
【図７】図７は、図１に示す手術プロセス管理装置のディスプレイに表示される手術プロセス管理画面を説明するための図である。
【図８】図８は、図１に示す手術プロセス管理装置のディスプレイに表示される手術プロセス管理画面を説明するための図である。
【図９】図９は、図１に示す手術プロセス管理装置のディスプレイに表示される手術プロセス管理画面を説明するための図である。
【図１０】図１０は、図１に示す手術管理システムの全体処理を説明するためのフローチャートである。
【図１１】図１１は、本発明の第２実施形態の処理を説明するためのフローチャートである。
【図１２】図１２は、病院部門手術支援装置の画面のその他の例を説明するための図である。
【図１３】図１３は、図１２に示すコメント・上申入力欄の一例を説明するための図である。
【発明を実施するための形態】
【００１１】
図１は、本発明の実施形態に係わる手術管理システム１の全体構成図である。
図１に示すように、手術管理システム１は、例えば、病院部門手術支援装置１１、手術部門手術記録装置１３、手術プロセス管理装置１５を有する。
【００１２】
図２は、図１に示す病院部門手術支援装置１１の構成図である。
図２に示すように、病院部門手術支援装置１１は、インタフェース２１、ディスプレイ２２、操作部２３、メモリ２４、処理回路２５および作業メモリ２７を有し、これらがバス２０を介して接続されている。
手術部門手術記録装置１３は、例えば、病棟看護師等によって使用される携帯型の装置である。
【００１３】
インタフェース２１は、例えば、他のコンピュータと通信を行うために用いられる。
ディスプレイ２２は、処理回路２５が実行するプログラムＰＲＧが提供する様々な画面を表示する。ディスプレイ２２は、タッチパネル機能を有している。
【００１４】
操作部２３は、例えば、操作ボタン、並びにキーボードやマウス等の操作手段である。
メモリ２４は、処理回路２５が実行するプログラムＰＲＧ、処理回路２５の処理に用いられるデータ記憶する。
処理回路２５は、プログラムＰＲＧを実行して、病院部門手術支援装置１１の処理を統括的に制御する。
本実施形態で示される病院部門手術支援装置１１の処理は、プログラムＰＲＧに記述されている。 
作業メモリ２７は、処理回路２５で生成されたデータあるいは、利用されるデータを一時的に記憶する。 
【００１５】
処理回路２５は、例えば、図５に示すように、後述するように病棟術前処置、手術室への搬入、手術室からの搬出時の各プロセス項目の名称と、そのチェックボックスとを対応付けて示すチェック画面５２をディスプレイ２２に表示する。
処理回路２５は、病棟看護師は、終了したプロセス項目に対応するチェックボックスにチェック画面５２上でチェック操作がされると、その操作に応じた通知信号を手術プロセス管理装置１５に送信する処理を行う。
【００１６】
図４は、図１に示す手術部門手術記録装置１３の構成図である。
図４に示すように、手術部門手術記録装置１３は、インタフェース３１、ディスプレイ３２、操作部３３、メモリ３４、処理回路３５および作業メモリ３７を有し、これらがバス３０を介して接続されている。
手術部門手術記録装置１３は、手術室看護師等によって使用される携帯型の装置である。
【００１７】
インタフェース３１は、例えば、他のコンピュータと通信を行うために用いられる。
ディスプレイ３２は、処理回路３５が実行するプログラムＰＲＧが提供する様々な画面を表示する。ディスプレイ３２は、タッチパネル機能を有している。
【００１８】
操作部３３は、例えば、操作ボタン、並びにキーボードやマウス等の操作手段である。
メモリ３４は、処理回路３５が実行するプログラムＰＲＧ、処理回路３５の処理に用いられるデータ記憶する。
処理回路３５は、プログラムＰＲＧを実行して、手術部門手術記録装置１３の処理を統括的に制御する。
本実施形態で示される手術部門手術記録装置１３の処理は、プログラムＰＲＧに記述されている。 
作業メモリ３７は、処理回路３５で生成されたデータあるいは、利用されるデータを一時的に記憶する。 
【００１９】
処理回路３５は、例えば、図５に示すように、後述するように術前処置、手術、術後処置時の各プロセス項目の名称と、そのチェックボックスとを対応付けて示すチェック画面５４をディスプレイ３２に表示する。
処理回路３５は、手術室看護師は、終了したプロセス項目に対応するチェックボックスにチェック画面５４上でチェック操作がされると、その操作に応じた通知信号を手術プロセス管理装置１５に送信する処理を行う。
【００２０】
図６は、図１に示す手術プロセス管理装置１５の構成図である。
図６に示すように、手術プロセス管理装置１５は、インタフェース４１、ディスプレイ４２、操作部４３、メモリ４４、処理回路４５および作業メモリ４７を有し、これらがバス４０を介して接続されている。
手術プロセス管理装置１５は、手術室看護師やナースステーションで使われる。手術プロセス管理装置１５のディスプレイ４２に表示される手術プロセス管理画面６０は、どの部門でも参照できる。ただし、手術プロセス管理画面６０（手術プロセス管理データ７０）に対しての操作（アクセス）は、手術部門では全ての機能を使用でき、ナースステーションでは待機中患者の本人確認操作・手術中止操作のみが使用許可されている。
【００２１】
手術プロセス管理装置１５は、手術予約情報、患者の検査結果、診察結果を基に作られた手術スケジュールデータを基にして、手術対象患者を病室等の待機場所から前室に搬入し、そこで術前に必要な処置を施した後に、手術台に運び、手術を行い、病棟に搬出するまでの処理を管理する。なお、手術プロセス管理装置１５が管理するプロセスには、クリニカルパスは含まれず、クリニカルパスについては別機能で管理する。
【００２２】
インタフェース４１は、例えば、他のコンピュータと通信を行うために用いられる。
ディスプレイ４２は、処理回路４５が実行するプログラムＰＲＧが提供する様々な画面を表示する。ディスプレイ４２は、タッチパネル機能を有している。
【００２３】
操作部４３は、例えば、操作ボタン、並びにキーボードやマウス等の操作手段である。
メモリ４４は、処理回路４５が実行するプログラムＰＲＧ、処理回路４５の処理に用いられるデータ記憶する。
処理回路４５は、プログラムＰＲＧを実行して、手術プロセス管理装置１５の処理を統括的に制御する。
本実施形態で示される手術プロセス管理装置１５の処理は、プログラムＰＲＧに記述されている。 
作業メモリ４７は、処理回路４５で生成されたデータあるいは、利用されるデータを一時的に記憶する。 
【００２４】
処理回路４５は、手術プロセス管理データ７０をメモリ４４に記憶する。
手術プロセス管理データ７０は、基本的に、図７に示す手術プロセス管理画面６０に表示されているデータを含んでいる。
すなわち、手術プロセス管理データ７０は、各患者識別情報について、ステータス情報、待機場所情報（病室、外来手術待機室）、患者名情報、年齢情報、性別情報、術眼情報、術式情報、眼科情報、内科情報、特記情報（ペースメーカ、バイアスプリン内服中）、感染情報（ＨＢｓ、ＨＣＶ等）、麻酔情報（点眼、テノン、全麻等）とを対応付けて示している。
【００２５】
処理回路４５は、上述した手術プロセス管理データ７０に基づいて、例えば、図７に示す手術プロセス管理画面６０をディスプレイ２２に表示する。
図７に示すように、手術プロセス管理装置１５のディスプレイ４２に表示される手術プロセス管理画面６０は、手術対象患者情報表示欄６２、術前処置患者リスト欄６３、手術中患者リスト欄６４、術後処置患者リスト欄６５、帰室欄６６を有する。
【００２６】
手術対象患者情報表示欄６２は、３台の術台の各々にいて、個別に手術対象患者情報表示欄を有する。各手術対象患者情報表示欄には、各患者識別情報について、ステータス情報、待機場所情報、患者名情報、年齢情報、性別情報、術眼情報、術式情報、眼科情報、内科情報、特記情報、感染情報、麻酔情報を対応付けて示している。
手術対象患者情報表示欄６２は、例えば、図８に示すように、手術中、手術を済んだ患者についても項目をそのまま残している。
なお、処理回路４５は、手術対象患者情報表示欄６２の代わりに、図９に示すように、術前処置に移行した患者については、その項目を消去する処理をするようにしてもよい。
【００２７】
術前処置患者リスト欄６３は、術前処置中の患者名情報（患者識別情報）を表示する欄である。
手術中患者リスト欄６４は、手術中の患者名情報（患者識別情報）を表示する欄である。
術後処置患者リスト欄６５は、術後処理中の患者名情報（患者識別情報）を表示する欄である。
【００２８】
図１０は、図１に示す手術管理システム１の全体処理を説明するためのフローチャートである。
以下、図８に示す各ステップを説明する。
ステップＳＴ１：
メモリ４４に記憶された手術プロセス管理データ７０のほんどの患者のステータス項目が「待機」を示している。そして、処理回路２５は、図７に示す手術プロセス管理画面６０のステータス欄に「待機」を表示する。
これは、入院患者は病室にいる状態、且つ、術前に行う処置が終わっていない状態を示している。当日、手術プロセス管理装置１５が起動されると、手術プロセス管理データ７０のほんどの患者のステータス項目が「待機」を示しており、手術プロセス管理画面６０のステータス項目には「待機」が表示されるが、術前処置が既に終わっている患者のステータス欄は、最初から病棟処置完了と表示される。
【００２９】
ステップＳＴ２：
病棟術前処置、すなわち、術式別に予め決められた処置を病室、あるいはナースステーションで行う。このとき、病院部門手術支援装置１１が起動され、病棟看護師がディスプレイ２２に表示された術前処置ボタンをクリックすると、処理回路２５がその旨の通知を患者識別情報と共に手術プロセス管理装置１５に送信する。
手術プロセス管理装置１５は、インタフェース４１を介して当該通知を受信すると、処理回路４５が、当該通知に含まれる患者識別情報に対応する手術プロセス管理データ７０のステータス項目が「病棟術前処置」を示すように更新する。
【００３０】
ステップＳＴ３：
病棟看護師が術前処置を順次行い、病院部門手術支援装置１１のディスプレイ２２に表示されるチェック画面のチェック項目を順次チェック操作し、術前処置の最期のチェック項目にチェックマークがつくと、そのことを手術プロセス管理装置１５の処理回路４５が病院部門手術支援装置１１からの通知（操作信号）を基に検出する。処理回路４５は、当該通知に含まれる患者識別情報に対応する手術プロセス管理データ７０のステータス項目が「病棟処置完了」を示すように更新する。そして、手術プロセス管理画面６０の当該患者のステータス項目に「病棟処置完了」が表示される。この表示のある患者が手術室搬入対象となる。
なお、待機患者や病棟術前処置中の患者が何らかの理由で主述ができない状態になった場合は、手術プロセス管理装置１５の手術プロセス管理画面６０上で、手術対象患者情報表示欄６２内の当該患者の項目を指定操作する。処理回路４５は、当該指定操作に基づいて、「〜様の手術を中止しますか」を示すメッセージ表示をディスプレイ４２に出力する。処理回路４５は、その応答として、「手術中止」、「操作ミス」のボタン画像を表示し、「手術中止」のボタン画像が操作で指定されると、予め決められた理由を表示する表示ボックス欄を表示し、その理由を選択させる。処理回路４５は、当該選択した理由を当該患者のカルテ情報に自動的に反映させる。また、処理回路４５は、手術プロセス管理データ７０の当該患者のステータス情報を「手術中止」を示すように更新する。
【００３１】
ステップＳＴ４：
手術室において手術プロセス管理装置１５が操作されて、搬入依頼指示が入力されると、処理回路４５は、当該指示で指定された患者識別情報に対応する手術プロセス管理データ７０のステータス項目が「搬入依頼」を示すように更新する。そして、手術プロセス管理画面６０の当該患者のステータス項目に「搬入依頼」が表示される。
上記搬入操作指示は、手術室病棟看護師の判断で、手術対象患者情報表示欄６２に表示された患者名の表示ブロックのうち、ステータス情報が病棟処置完了を示し、且つ、次に手術を行う患者名の表示ブロックを指やペンで指定し、そのまま術前処置患者リスト欄６３内に移動操作して行われる。
なお、処理回路４５は、例えば、術前処置患者リスト欄６３から手術中患者リスト欄６４に移行された患者識別情報に対応付けられた術式情報を基に、上記次に手術を行う患者の患者識別情報を特定する。
処理回路４５は、上記特定した患者識別情報に対応した手術対象患者情報表示欄６２の項目を強調表示する（例えば、色を変えたり、太枠で表示する）。
【００３２】
なお、手術室病棟看護師が上記操作をした際に、処理回路４５は術前処置用のベットに空きがあるか否かを判断し、空きがないと判断した場合にはエラーメッセージを病院部門手術支援装置１１に送信する。空きがあるか否かは、術前処置患者リスト欄６３内に未設定の領域（ベット項目）情報があるか否かに基づいて行われる。
また、処理回路４５は、上記術前処置用のベットに空きがあると判断した場合には、「搬入願います」等の搬入を指示するためのメッセージ信号を病院部門手術支援装置１１及びナースステーションに送信する。
当該メッセージにより、病院部門手術支援装置１１およびナースステーションの装置は、例えば、上記搬入操作指示の対象となる患者に関する情報をアナウンスする音声を定期的（例えば、１０秒間隔）に出力する。そして、病院部門手術支援装置１１あるいはナーステーションの装置の所定の操作ボタンが操作されたことを処理回路４５が検出すると、上記メッセージの出力を停止する処理を行う。
【００３３】
ステップＳＴ５：
手術室から搬入依頼があり、病棟看護師が、当該患者を病室に迎えに行った際、マニュキア、入れ歯などのチェックのパスの最初のチェックを病院部門手術支援装置１１のディスプレイ２２のチェック画面５２上で行うと、そのことを手術プロセス管理装置１５の処理回路４５が病院部門手術支援装置１１からの通知（操作信号）を基に検出する。処理回路４５は、当該通知に含まれる患者識別情報に対応する手術プロセス管理データ７０のステータス項目が「搬入直前ＣＨＫ」を示すように更新する。そして、手術プロセス管理画面６０の当該患者のステータス項目に「搬入直前ＣＨＫ」が表示される。
なお、このとき、病院部門手術支援装置１１は、患者が持つタグ等と通信を行い、本人認証を自動的に行う。
【００３４】
ステップＳＴ６：
病棟看護師が病院部門手術支援装置１１の図３に示すチェック画面５２上で全てのチェック項目にチェックを完了するか、あるいは終了指示が入力されると、病院部門手術支援装置１１が手術プロセス管理装置１５にその旨を示す通知（操作信号）を送信する。手術プロセス管理装置１５の処理回路４５は、病院部門手術支援装置１１からの当該通知を検出すると、当該通知に含まれる患者識別情報に対応する手術プロセス管理データ７０のステータス項目が「搬入直前ＣＨＫ終了」を示すように更新する。そして、手術プロセス管理画面６０の当該患者のステータス項目に「搬入直前ＣＨＫ終了」が表示される。
【００３５】
ステップＳＴ７：
病棟看護師が患者を病室等から運び出す際に、病院部門手術支援装置１１のチェック画面５２上で「搬入開始」ボタン画像を指定操作する、
病院部門手術支援装置１１が手術プロセス管理装置１５にその旨を示す通知（操作信号）を送信する。手術プロセス管理装置１５の処理回路４５は、病院部門手術支援装置１１からの当該通知を検出すると、当該通知に含まれる患者識別情報に対応する手術プロセス管理データ７０のステータス項目が「搬入開始」を示すように更新する。そして、手術プロセス管理画面６０の当該患者のステータス項目に「搬入開始」が表示される。
搬入直前チェックが終わり、病室を出るまでの時間が無視できるくらい短い場合には、「搬入直前ＣＨＫ」の処置が全て終了した段階で、「搬入中」の表示とし、この操作と表示の実装を止めるようにしてもよい。
【００３６】
ステップＳＴ８：
手術プロセス管理装置１５の処理回路４５は、ステップＳＴ７の処理に続いて、その患者識別情報に対応する手術プロセス管理データ７０のステータス項目が「搬入中」を示すように更新する。そして、手術プロセス管理画面６０の当該患者のステータス項目に「搬入中」が表示される。
【００３７】
ステップＳＴ９：
病棟看護師は、患者が手術室に到着した場合に、病院部門手術支援装置１１のチェック画面５２上で「手術室到着」ボタン画像を指定操作する、
病院部門手術支援装置１１が手術プロセス管理装置１５にその旨を示す通知（操作信号）を送信する。手術プロセス管理装置１５の処理回路４５は、病院部門手術支援装置１１からの当該通知を検出すると、当該通知に含まれる患者識別情報に対応する手術プロセス管理データ７０のステータス項目が「手術室到着」を示すように更新する。そして、手術プロセス管理画面６０の当該患者のステータス項目に「手術室到着」が表示される。
ただし、到着と術前準備を始めるまでの時間が無視できるほど短い場合には、この操作と表示の実装をしないで、ステップＳＴ１０の操作に移行するようにしてもよい。
なお、上記「手術室到着」ボタン画像を指定操作されると、処理回路２５はディスプレイ２２上に「〜様が前室到着しましたか？」というメッセージを表示し、ボタン画像として「到着」を表示する。
ここで、病院部門手術支援装置１１から手術部門手術記録装置１３に、到着した患者の患者識別情報を自動的に送信し、手術部門手術記録装置１３から病院部門手術支援装置１１から患者識別情報を受信したことをトリガーとして、チェック画面５４等の所定のデータを手術プロセス管理装置１５からダウンロードするようにしてもよい。
【００３８】
ステップＳＴ１０：
手術室看護師は、手術部門手術記録装置１３のチェック画面５４上の「術前処置」ボタン画像を指定操作する、
手術部門手術記録装置１３が手術プロセス管理装置１５にその旨を示す通知（操作信号）を送信する。手術プロセス管理装置１５の処理回路４５は、病院部門手術支援装置１１からの当該通知を検出すると、当該通知に含まれる患者識別情報に対応する手術プロセス管理データ７０のステータス項目が「術前処置」を示すように更新する。そして、手術プロセス管理画面６０の当該患者のステータス項目に「術前処置」が表示される。
【００３９】
ステップＳＴ１１：
手術新看護師が手術部門手術記録装置１３の図５に示すチェック画面５４上で、術前処理のチェック項目を順次チェックしながら、各作業を実行する。当該チェックの結果は、手術部門手術記録装置１３から手術プロセス管理装置１５に送信される。
そして、手術部門手術記録装置１３のチェック画面５４上で全てのチェック項目にチェックを完了するか、あるいは終了指示が入力されると、手術部門手術記録装置１３が手術プロセス管理装置１５にその旨を示す通知（操作信号）を送信する。手術プロセス管理装置１５の処理回路４５は、手術部門手術記録装置１３からの当該通知を検出すると、当該通知に含まれる患者識別情報に対応する手術プロセス管理データ７０のステータス項目が「準備完了」を示すように更新する。そして、手術プロセス管理画面６０の当該患者のステータス項目に「準備完了」が表示される。
【００４０】
ステップＳＴ１２：
手術室看護師は、手術部門手術記録装置１３のチェック画面５４上の「手術開始」ボタン画像を指定操作する、
手術部門手術記録装置１３が手術プロセス管理装置１５その旨を示す通知（操作信号）を送信する。手術プロセス管理装置１５の処理回路４５は、手術部門手術記録装置１３からの当該通知を検出すると、当該通知に含まれる患者識別情報に対応する手術プロセス管理データ７０のステータス項目が「手術開始」を示すように更新する。そして、手術プロセス管理画面６０の当該患者のステータス項目に「手術開始」が表示される。
なお、術前処置が終了していない状態で手術開始」ボタン画像が指定操作された場合には、手術部門手術記録装置１３の処理回路３５は、その患者のステータス情報を基に、そのことを検出し、「前室での準備が必要です」というメッセージ表示をディスプレイ３２に出力する。処理回路３５は、その応答として、「前室へ」、「やり直し」のボタン画像を表示し、「前室へ」のボタン画像が操作で指定されると、当該患者識別情報を術前処置患者リスト欄６３内の空いているベットに移動する処理を行い、「やり直し」のボタン画像が操作で指定されると、手術プロセス管理データ７０内の当該患者識別情報のステータス情報を「待機」に変更する処理を行う。
【００４１】
ステップＳＴ１３：
手術新看護師が、医師の手術の進行状況等を見ながら、手術部門手術記録装置１３のチェック画面５４上で手術処理のチェック項目を順次チェックしながら、各作業を実行する。当該チェックの結果は、手術部門手術記録装置１３から手術プロセス管理装置１５に送信される。
そして、手術部門手術記録装置１３のチェック画面５４上で全てのチェック項目にチェックを完了するか、あるいは終了指示が入力されると、手術部門手術記録装置１３が手術プロセス管理装置１５にその旨を示す通知（操作信号）を送信する。手術プロセス管理装置１５の処理回路４５は、手術部門手術記録装置１３からの当該通知を検出すると、当該通知に含まれる患者識別情報に対応する手術プロセス管理データ７０のステータス項目が「手術終了」を示すように更新する。そして、手術プロセス管理画面６０の当該患者のステータス項目に「手術終了」が表示される。
なお、全ての手術のパスが終わったタイミングで自動的に上記更新を行ってもよい。本実施形態では、バリアンスを考慮し、意識的に「手術終了」ボタン画像が指定操作されたことをトリガーとした。
【００４２】
ステップＳＴ１４：
手術室看護師は、手術部門手術記録装置１３のチェック画面５４上の「術後処理」ボタン画像を指定操作する、
手術部門手術記録装置１３が手術プロセス管理装置１５その旨を示す通知（操作信号）を送信する。手術プロセス管理装置１５の処理回路４５は、手術部門手術記録装置１３からの当該通知を検出すると、当該通知に含まれる患者識別情報に対応する手術プロセス管理データ７０のステータス項目が「術後処理中」を示すように更新する。そして、手術プロセス管理画面６０の当該患者のステータス項目に「術後処理中」が表示される。
【００４３】
ステップＳＴ１５：
手術新看護師が、術後処理の進行状況等を見ながら、手術部門手術記録装置１３のチェック画面５４上で手術処理のチェック項目を順次チェックしながら、各作業を実行する。当該チェックの結果は、手術部門手術記録装置１３から手術プロセス管理装置１５に送信される。
そして、手術部門手術記録装置１３のチェック画面５４上で全てのチェック項目にチェックを完了するか、あるいは終了指示が入力されると、手術部門手術記録装置１３が手術プロセス管理装置１５にその旨を示す通知（操作信号）を送信する。手術プロセス管理装置１５の処理回路４５は、手術部門手術記録装置１３からの当該通知を検出すると、当該通知に含まれる患者識別情報に対応する手術プロセス管理データ７０のステータス項目が「術後処置終了」を示すように更新する。そして、手術プロセス管理画面６０の当該患者のステータス項目に「術後処置終了」が表示される。
処理回路４５は、上記ステータス項目が「術後処置終了」を示すように更新した術後処置患者リスト欄６５内の患者識別情報の項目を強調表示する（例えば、色を変えたり、太枠で表示する）。
【００４４】
ステップＳＴ１６：
手術室において手術プロセス管理装置１５に搬出依頼操作されると、処理回路４５は、当該操作で指定された患者識別情報に対応する手術プロセス管理データ７０のステータス項目が「術後処置から帰室」を示すように更新する。そして、手術プロセス管理画面６０の当該患者のステータス項目に「術後処置から帰室」が表示される。
上記搬出依頼操作は、手術室病棟看護師の判断で、術後処置患者リスト欄６５に表示された患者名の表示ブロックのうち、ステータス情報が術後処置終了を示す患者識別情報を指やペンで指定し、そのまま帰室欄６６内に移動操作して行われる。
【００４５】
ステップＳＴ１７：
病棟看護師が患者を手術室から運び出す際に、病院部門手術支援装置１１のチェック画面５２上で「搬出出発」ボタン画像を指定操作する。このとき、搬出方法の選択も行われる。
病院部門手術支援装置１１が手術プロセス管理装置１５にその旨を示す通知（操作信号）を送信する。手術プロセス管理装置１５の処理回路４５は、病院部門手術支援装置１１からの当該通知を検出すると、当該通知に含まれる患者識別情報に対応する手術プロセス管理データ７０のステータス項目が「搬出出発」を示すように更新する。そして、手術プロセス管理画面６０の当該患者のステータス項目に「搬出出発」が表示される。なお、このとき、搬出に行く看護師の名前を手術プロセス管理画面６０に表示してもよい。
【００４６】
ステップＳＴ１８：
手術室に病連から搬出要員としての病棟看護師が来て、病院部門手術支援装置１１のチェック画面５２上で「搬出開始」ボタン画像を指定操作する。
病院部門手術支援装置１１が手術プロセス管理装置１５にその旨を示す通知（操作信号）を送信する。手術プロセス管理装置１５の処理回路４５は、病院部門手術支援装置１１からの当該通知を検出すると、当該通知に含まれる患者識別情報に対応する手術プロセス管理データ７０のステータス項目が「搬出中」を示すように更新する。そして、手術プロセス管理画面６０の当該患者のステータス項目に「搬出中」が表示される。
ここで、手術部門手術記録装置１３から病院部門手術支援装置１１に、搬出する術後の患者の患者識別情報を自動的に送信し、手術部門手術記録装置１３から病院部門手術支援装置１１から患者識別情報を受信したことをトリガーとして、術後に使用されるチェック画面５２等の所定のデータを手術プロセス管理装置１５からダウンロードするようにしてもよい。
【００４７】
ステップＳＴ１９：
病棟看護師が患者を病室に搬入すると、病院部門手術支援装置１１のチェック画面５２上で「帰室」ボタン画像を指定操作する。
病院部門手術支援装置１１が手術プロセス管理装置１５にその旨を示す通知（操作信号）を送信する。手術プロセス管理装置１５の処理回路４５は、病院部門手術支援装置１１からの当該通知を検出すると、当該通知に含まれる患者識別情報に対応する手術プロセス管理データ７０のステータス項目が「帰室」を示すように更新する。そして、手術プロセス管理画面６０の当該患者のステータス項目に「帰室」が表示される。
なお、帰室から帰室後処置を行うまでの時間が無視できるほど短い場合には、この表示をせずに、ステップＳＴ２０に進むようにしてもよい。
【００４８】
ステップＳＴ２０：
病棟看護師が術前処置を順次行い、病院部門手術支援装置１１のディスプレイ２２に表示されるチェック画面の帰室後処置のチェック項目を順次チェック操作する。そして、帰室後処置の最初のチェック項目にチェックマークがつくと、そのことを手術プロセス管理装置１５の処理回路４５が病院部門手術支援装置１１からの通知（操作信号）を基に検出する。処理回路４５は、当該通知に含まれる患者識別情報に対応する手術プロセス管理データ７０のステータス項目が「帰室後処置中」を示すように更新する。そして、手術プロセス管理画面６０の当該患者のステータス項目に「帰室後処置中」が表示される。
【００４９】
ステップＳＴ２１：
看護師が病院部門手術支援装置１１のディスプレイ２２に表示される帰室後処置の最期のチェック項目にチェックマークがつくと、そのことを手術プロセス管理装置１５の処理回路４５が病院部門手術支援装置１１からの通知（操作信号）を基に検出する。処理回路４５は、当該通知に含まれる患者識別情報に対応する手術プロセス管理データ７０のステータス項目が「済み」を示すように更新する。そして、手術プロセス管理画面６０の当該患者のステータス項目に「済み」が表示される。
なお、全てのパスを終了せずに、終わらせる場合があるとすれば、“帰室後処置終了”ボタンをつけ、意識的に操作させる。その場合には、“未完の帰室後処置があります”の警告メッセージを表示し、承知／やり直しを選択させる。
【００５０】
以上説明したように手術管理システム１では、病院部門手術支援装置１１、手術部門手術記録装置１３および手術プロセス管理装置１５を用いることで、病棟術前処置、手術室への搬入、手術室内での術前処理、手術、術後処置、搬出を手術プロセス管理装置１５が病院部門手術支援装置１１および手術部門手術記録装置１３からの通知信号に基づいて、一括して管理できる。
そのため、各プロセス項目の間で、無駄な待ち時間を無くすことができ、全体のプロセスを効率的に行うことが可能になる。
【００５１】
＜第２実施形態＞
図６に示す手術プロセス管理装置１５は、例えば、以下のような処理を行ってもよい。
図１１は、本発明の第２実施形態の手術プロセス管理装置１５の処理を説明するためのフローチャートである。
メモリ４４は、病院部門手術支援装置１１および手術部門手術記録装置１３が管理するプロセス項目情報と、各プロセス項目に要する時間情報とを対応付けて示すプロセスデータを記憶する。
また、メモリ４４は、術式情報と当該術式の術前処理に要する時間情報とを対応付けて示す術前処理時間データを記憶する。
【００５２】
処理回路４５は、手術部門手術記録装置１３からの通知信号と上記プロセスデータとに基づいて、手術の残りのプロセス項目を特定し、当該特定したプロセス項目に対応付けられた上記時間情報を累積して総時間情報、すなわち手術終了時刻までの予測時間情報を算出する（ステップＳＴ３１）。
また、処理回路４５は、第１実施形態で説明した手術プロセス管理データ７０を参照して当該手術の次に行われる手術の前記術式情報を取得し、当該術式情報を検索キーとして用いて上記術前処理時間データを参照して取得した術式情報の術前処理に要する時間情報、すなわち次の手術の術前処置の予測時間情報を取得する（ステップＳＴ３２）。
そして、処理回路４５は、ステップＳＴ３１で算出した予測時間情報と、ステップＳＴ３２で取得した予測時間情報とを比較して（ステップＳＴ３３）、手術対象患者情報表示欄６２内の次に行われる手術のブロックを視覚的に強調する処理を行う（ステップＳＴ３３）。ステップＳＴ３３の時間αは、予め規定された時間である。
【００５３】
本実施形態によれば、上記強調表示を基に、手術対象患者情報表示欄６２から術前処置患者リスト欄６３に移動すべき患者識別情報を容易に特定できる。
【００５４】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
【００５５】
例えば、上述した病院部門手術支援装置１１の処理回路２５は、各患者毎に図１２に示すチェック画面２５２をディスプレイ２２に表示するようにしてもよい。
図１２に示すチェック画面２５２には、コメント・上申入力欄２６０があり、例えば、タッチパネル上を手あるいはペンで触りながら文字や図形を描くことでデジタル入力ができる。コメント・上申入力欄２６０に入力された情報は、図１２に示すように、手書きのままデジタルデータとして表示および保存されたり、テキストデータに変換されて表示および保存される。なお、処理回路２５は、音声データを生成し、これを各種データと対応付けて記憶してもよい。
なお、コメント・上申入力欄２６０は、図１３に示すように表示してもよい。
【００５６】
処理回路２５は、コメント・上申入力欄２６０に上申情報が上申情報が入力されると、ディスプレイ２２に表示された画面に対応する患者識別情報を検索キーとして、当該患者の手術についてコメントできる担当者識別情報を検索する。当該検索は、例えば、メモリ２４等に記憶されたデータベースを対象に行う。
また、処理回路２５は、当該検索した担当者識別情報を基に、病院内の当該担当者がいる場所の通信装置を特定し、当該特定した通信装置に上申入力欄２６０に入力された上記上申情報を送信する。
そして、当該通信装置から上記上申情報に対応した回答情報を受信すると、当該回答情報をディスプレイ２２に表示する。
なお、処理回路２５は、一定期間内に上記回答情報を受信しない場合には、上記担当者識別情報を基に他の通信装置を特定し、当該特定した通信装置に上申入力欄２６０に入力された上記上申情報を送信する。
【００５７】
処理回路２５は、コメント・上申入力欄２６０を含む複数の入力欄を画面表示する。
処理回路２５は、当該複数の入力欄の識別情報と、当該入力欄に入力された手書の文字パターンを示す手書データと、入力された手書の文字パターンをテキスト変換したテキストデータと、入力された音声データとを対応付けてメモリに記憶する。
そして、処理回路２５は、当該入力欄を画面表示する際に、当該入力欄の識別情報に対応づけられたデータを読み出して再生処理する。
【産業上の利用可能性】
【００５８】
本発明は、病院等で行われる手術のプロセスを管理する手術プロセス管理システムに適用可能である。
【符号の説明】
【００５９】
１…手術管理システム
１１…病院部門手術支援装置
１３…手術部門手術記録装置
１５…手術プロセス管理装置
２１，３１，４１…インタフェース
２２，３２，４２…ディスプレイ
２３，３３，４３…操作部
２４．３４．４４…メモリ
２５，３５，４５…処理回路
６０…手術プロセス管理画面
６２…手術対象患者情報表示欄
６３…術前処置患者リスト欄
６４…手術中患者リスト欄
６５…術後処置患者リスト欄
６６…帰室欄
【図１】
2011224336.tif 000003
【図２】
2011224336.tif 000004
【図３】
2011224336.tif 000005
【図４】
2011224336.tif 000006
【図５】
2011224336.tif 000007
【図６】
2011224336.tif 000008
【図７】
2011224336.tif 000009
【図８】
2011224336.tif 000010
【図９】
2011224336.tif 000011
【図１０】
2011224336.tif 000012
【図１１】
2011224336.tif 000013
【図１２】
2011224336.tif 000014
【図１３】
2011224336.tif 000015
【手続補正書】
【提出日】平成23年3月14日(2011.3.14)
【手続補正１】
【補正対象書類名】特許請求の範囲
【補正対象項目名】全文
【補正方法】変更
【補正の内容】
【特許請求の範囲】
【請求項１】
手術のプロセスを管理する手術プロセス管理システムであって、
複数のプロセス項目からなる手術プロセス全体を管理する手術プロセス管理装置と、
患者待機場所での病棟術前処置、手術室への患者搬入、並びに前記手術室からの患者搬出において用いられ、予め決められた複数のプロセス項目を画面表示し、当該プロセス項目の完了を示す操作指示が入力されると、その旨を示す通知信号を前記手術プロセス管理装置に送信する病院部門手術支援装置と、
手術室内での手術のプロセス管理に用いられ、予め決められた複数のプロセス項目を画面表示し、当該プロセス項目の完了を示す操作指示が入力されると、その旨を示す通知信号を前記手術プロセス管理装置に送信する手術部門手術記録装置と
を有し、
前記手術プロセス管理装置は、
手術対象の患者の患者識別情報と当該患者の前記手術のプロセスのステータスを示す前記ステータス情報と当該患者の手術台情報と当該患者の手術順情報と当該患者の手術の術者情報と当該患者の手術の術式情報とを対応付けて示す患者管理データと、前記手術室内での術前処置中の前記患者のリストを示す術前患者リスト情報と、前記手術室内での手術中の前記患者のリストを示す手術中患者リスト情報と、前記手術室内での術後処置中の前記患者のリストを示す術後患者リスト情報と、前記病院部門手術支援装置および前記手術部門手術記録装置が管理するプロセス項目の情報と各プロセス項目に要する時間情報とを対応付けて示すプロセスデータと、前記術式情報と当該術式情報の前記術前処置に要する時間情報とを対応付けて示す術前処置時間データとを記憶する第１のメモリと、
第１の処理手段と
を有し、
前記第１の処理手段は、
複数の手術台の各々に対応する表示欄を表示し、前記患者管理データを基に、各表示欄内にそれに対応する前記手術台で手術を行う患者の各々についての当該患者の前記患者識別情報と、前記ステータス情報と、前記術者情報と対応付けて手術順に示す手術対象患者情報表示欄を画面表示する処理と、
前記術前患者リスト情報、前記手術中患者リスト情報および前記術後患者リスト情報を、それぞれ個別に表示欄として画面表示する処理と、
前記病院部門手術支援装置および前記手術部門手術記録装置から前記通知信号に基づいて、前記第１のメモリに記憶された前記ステータス情報、前記術前患者リスト情報、前記手術中患者リスト情報および前記術後患者リスト情報を更新すると共に、前記画面表示された前記ステータス情報、前記術前患者リスト情報、前記手術中患者リスト情報および前記術後患者リスト情報を更新する処理と、
前記手術対象患者情報表示欄に表示された前記術前処理対象とする患者の前記患者識別情報が指定操作されて前記術前患者リスト情報の前記表示欄内に移動する操作が行われたことを検出すると、その次に前記術前処理対象とする患者の前記患者識別情報を特定して前記手術対象患者情報表示欄に表示された前記患者識別情報のうち、当該特定した患者識別情報に対応した項目を強調表示する処理と、
前記手術部門手術記録装置からの前記通知信号に基づいて、手術中から術後処置に移行した患者の前記患者識別情報が前記手術中患者リスト情報から前記術後患者リスト情報に移行するように前記第１のメモリに記憶された情報を更新すると共に、前記画面表示された前記手術中患者リスト情報および前記術後患者リスト情報を更新する処理と、
前記手術部門手術記録装置からの前記通知信号に基づいて、前記術後処置が終了したと判断した患者の前記患者識別情報を前記術後患者リスト情報の表示欄で視覚的に強調する表示する処理と、
当該強調した患者識別情報が画面上で指定操作されて画面内の帰室を示す画像ブロック欄に移動する操作が行われたことを示す操作信号を検出すると、当該特定した患者識別情報を前記術後患者リスト情報から削除し、当該患者識別情報に対応した前記ステータス情報を帰室を示すように前記第１のメモリに記憶された情報を更新すると共に、前記画面表示された前記術後患者リスト情報を更新する処理と、
前記手術部門手術記録装置からの通知信号と前記プロセスデータとに基づいて、手術中の手術の残りのプロセス項目を特定し、当該特定したプロセス項目に対応付けられた前記時間情報を累積して総時間情報を算出し、前記患者管理データを参照して当該手術の次に行われる手術の前記術式情報を取得し、当該術式情報を検索キーとして用いて前記術前処置時間データを参照して前記取得した術式情報の前記術前処置に要する時間情報を取得する処理と、
前記取得した前記術前処置に要する時間情報と前記算出した総時間情報とを比較して、当該比較の結果に基づいて、前記手術対象患者情報表示欄に表示された前記患者識別情報のうち、前記次に手術を行う患者の前記患者式情報に対応した項目の情報を視覚的に強調する処理と
を行う
手術プロセス管理システム。
【請求項２】
前記病院部門手術支援装置は、
前記患者識別情報と、当該患者識別情報の患者の手術についてコメントできる担当者を示す担当者識別情報と、病院内の当該担当者がいる場所の通信装置とを対応付けて記憶する第２のメモリと、
第２の処理手段と
を有し、
前記第２の処理手段は、
前記患者識別情報に対応した上申入力欄を画面表示し、当該上申入力欄に上申情報が入力されると、
当該画面表示に対応する患者識別情報を検索キーとして、当該患者の手術についてコメントできる前記担当者識別情報を前記第２のメモリを参照して検索し、
当該検索した前記担当者識別情報を基に、病院内の当該担当者がいる場所の前記通信装置を前記第２のメモリを参照して特定し、当該特定した通信装置に前記上申入力欄に入力された前記上申情報を送信し、
前記通信装置から前記上申情報に対応した回答情報を受信すると、当該回答情報を画面表示する
請求項１に記載の手術プロセス管理システム。
【請求項３】
前記病院部門手術支援装置の前記第２の処理手段は、
前記上申入力欄を含む複数の入力欄を画面表示し、
前記上申入力欄の識別情報と、当該上申入力欄に入力された手書の文字パターンを示す手書データと、入力された手書の文字パターンをテキスト変換したテキストデータと、入力された音声データとを対応付けて前記第２のメモリに記憶する
請求項２に記載の手術プロセス管理システム。
【請求項４】
複数のプロセス項目からなる手術プロセス全体を管理する手術プロセス管理装置であって、
患者待機場所での病棟術前処置、手術室への患者搬入、並びに前記手術室からの患者搬出において用いられ、予め決められた複数のプロセス項目を画面表示し、当該プロセス項目の完了を示す操作指示が入力されると、その旨を示す通知信号を前記手術プロセス管理装置に送信する病院部門手術支援装置と、手術室内での手術のプロセス管理に用いられ、予め決められた複数のプロセス項目を画面表示し、当該プロセス項目の完了を示す操作指示が入力されると、その旨を示す通知信号を前記手術プロセス管理装置に送信する手術部門手術記録装置との間で通信を行うインターフェースと、
手術対象の患者の患者識別情報と当該患者の前記手術のプロセスのステータスを示す前記ステータス情報と当該患者の手術台情報と当該患者の手術順情報と当該患者の手術の術者情報と当該患者の手術の術式情報とを対応付けて示す患者管理データと、前記手術室内での術前処置中の前記患者のリストを示す術前患者リスト情報と、前記手術室内での手術中の前記患者のリストを示す手術中患者リスト情報と、前記手術室内での術後処置中の前記患者のリストを示す術後患者リスト情報と、前記病院部門手術支援装置および前記手術部門手術記録装置が管理するプロセス項目の情報と各プロセス項目に要する時間情報とを対応付けて示すプロセスデータと、前記術式情報と当該術式情報の前記術前処置に要する時間情報とを対応付けて示す術前処置時間データとを記憶する第１のメモリと
を有し、
前記第１の処理手段は、
複数の手術台の各々に対応する表示欄を表示し、前記患者管理データを基に、各表示欄内にそれに対応する前記手術台で手術を行う患者の各々についての当該患者の前記患者識別情報と、前記ステータス情報と、前記術者情報と対応付けて手術順に示す手術対象患者情報表示欄を画面表示する処理と、
前記術前患者リスト情報、前記手術中患者リスト情報および前記術後患者リスト情報を、それぞれ個別に表示欄として画面表示する処理と、
前記病院部門手術支援装置および前記手術部門手術記録装置から前記通知信号に基づいて、前記第１のメモリに記憶された前記ステータス情報、前記術前患者リスト情報、前記手術中患者リスト情報および前記術後患者リスト情報を更新すると共に、前記画面表示された前記ステータス情報、前記術前患者リスト情報、前記手術中患者リスト情報および前記術後患者リスト情報を更新する処理と、
前記手術対象患者情報表示欄に表示された前記術前処理対象とする患者の前記患者識別情報が指定操作されて前記術前患者リスト情報の前記表示欄内に移動する操作が行われたことを検出すると、その次に前記術前処理対象とする患者の前記患者識別情報を特定して前記手術対象患者情報表示欄に表示された前記患者識別情報のうち、当該特定した患者識別情報に対応した項目を強調表示する処理と、
前記手術部門手術記録装置からの前記通知信号に基づいて、手術中から術後処置に移行した患者の前記患者識別情報が前記手術中患者リスト情報から前記術後患者リスト情報に移行するように前記第１のメモリに記憶された情報を更新すると共に、前記画面表示された前記手術中患者リスト情報および前記術後患者リスト情報を更新する処理と、
前記手術部門手術記録装置からの前記通知信号に基づいて、前記術後処置が終了したと判断した患者の前記患者識別情報を前記術後患者リスト情報の表示欄で視覚的に強調する表示する処理と、
当該強調した患者識別情報が画面上で指定操作されて画面内の帰室を示す画像ブロック欄に移動する操作が行われたことを示す操作信号を検出すると、当該特定した患者識別情報を前記術後患者リスト情報から削除し、当該患者識別情報に対応した前記ステータス情報を帰室を示すように前記第１のメモリに記憶された情報を更新すると共に、前記画面表示された前記術後患者リスト情報を更新する処理と、
前記手術部門手術記録装置からの通知信号と前記プロセスデータとに基づいて、手術中の手術の残りのプロセス項目を特定し、当該特定したプロセス項目に対応付けられた前記時間情報を累積して総時間情報を算出し、前記患者管理データを参照して当該手術の次に行われる手術の前記術式情報を取得し、当該術式情報を検索キーとして用いて前記術前処置時間データを参照して前記取得した術式情報の前記術前処置に要する時間情報を取得する処理と、
前記取得した前記術前処置に要する時間情報と前記算出した総時間情報とを比較して、当該比較の結果に基づいて、前記手術対象患者情報表示欄に表示された前記患者識別情報のうち、前記次に手術を行う患者の前記患者式情報に対応した項目の情報を視覚的に強調する処理と
を行う
手術プロセス管理装置。
【請求項５】
複数のプロセス項目からなる手術プロセス全体を管理する手術プロセス管理装置と、
患者待機場所での病棟術前処置、手術室への患者搬入、並びに前記手術室からの患者搬出において用いられ、予め決められた複数のプロセス項目を画面表示し、当該プロセス項目の完了を示す操作指示が入力されると、その旨を示す通知信号を前記手術プロセス管理装置に送信する病院部門手術支援装置と、
手術室内での手術のプロセス管理に用いられ、予め決められた複数のプロセス項目を画面表示し、当該プロセス項目の完了を示す操作指示が入力されると、その旨を示す通知信号を前記手術プロセス管理装置に送信する手術部門手術記録装置と
を用いて、手術のプロセスを管理する手術プロセス管理方法であって、
前記手術プロセス管理装置は、
手術対象の患者の患者識別情報と当該患者の前記手術のプロセスのステータスを示す前記ステータス情報と当該患者の手術台情報と当該患者の手術順情報と当該患者の手術の術者情報と当該患者の手術の術式情報とを対応付けて示す患者管理データと、前記手術室内での術前処置中の前記患者のリストを示す術前患者リスト情報と、前記手術室内での手術中の前記患者のリストを示す手術中患者リスト情報と、前記手術室内での術後処置中の前記患者のリストを示す術後患者リスト情報とを記憶するメモリと、
処理手段と
を有し、
複数の手術台の各々に対応する表示欄を表示し、前記患者管理データを基に、各表示欄内にそれに対応する前記手術台で手術を行う患者の各々についての当該患者の前記患者識別情報と、前記ステータス情報と、前記術者情報と対応付けて手術順に示す手術対象患者情報表示欄を画面表示する第１の工程と、
前記術前患者リスト情報、前記手術中患者リスト情報および前記術後患者リスト情報を、それぞれ個別に表示欄として画面表示する第２の工程と、
前記病院部門手術支援装置および前記手術部門手術記録装置から前記通知信号に基づいて、前記第１のメモリに記憶された前記ステータス情報、前記術前患者リスト情報、前記手術中患者リスト情報および前記術後患者リスト情報を更新すると共に、前記画面表示された前記ステータス情報、前記術前患者リスト情報、前記手術中患者リスト情報および前記術後患者リスト情報を更新する第３の工程と、
前記手術対象患者情報表示欄に表示された前記術前処理対象とする患者の前記患者識別情報が指定操作されて前記術前患者リスト情報の前記表示欄内に移動する操作が行われたことを検出すると、その次に前記術前処理対象とする患者の前記患者識別情報を特定して前記手術対象患者情報表示欄に表示された前記患者識別情報のうち、当該特定した患者識別情報に対応した項目を強調表示する第４の工程と、
前記手術部門手術記録装置からの前記通知信号に基づいて、手術中から術後処置に移行した患者の前記患者識別情報が前記手術中患者リスト情報から前記術後患者リスト情報に移行するように前記第１のメモリに記憶された情報を更新すると共に、前記画面表示された前記手術中患者リスト情報および前記術後患者リスト情報を更新する第５の工程と、
前記手術部門手術記録装置からの前記通知信号に基づいて、前記術後処置が終了したと判断した患者の前記患者識別情報を前記術後患者リスト情報の表示欄で視覚的に強調する表示する第６の工程と、
当該強調した患者識別情報が画面上で指定操作されて画面内の帰室を示す画像ブロック欄に移動する操作が行われたことを示す操作信号を検出すると、当該特定した患者識別情報を前記術後患者リスト情報から削除し、当該患者識別情報に対応した前記ステータス情報を帰室を示すように前記第１のメモリに記憶された情報を更新すると共に、前記画面表示された前記術後患者リスト情報を更新する第７の工程と、
前記手術部門手術記録装置からの通知信号と前記プロセスデータとに基づいて、手術中の手術の残りのプロセス項目を特定し、当該特定したプロセス項目に対応付けられた前記時間情報を累積して総時間情報を算出し、前記患者管理データを参照して当該手術の次に行われる手術の前記術式情報を取得し、当該術式情報を検索キーとして用いて前記術前処置時間データを参照して前記取得した術式情報の前記術前処置に要する時間情報を取得する第８の工程と、
前記取得した前記術前処置に要する時間情報と前記算出した総時間情報とを比較して、当該比較の結果に基づいて、前記手術対象患者情報表示欄に表示された前記患者識別情報のうち、前記次に手術を行う患者の前記患者式情報に対応した項目の情報を視覚的に強調する第９の工程と
を前記処理手段が実行する
手術プロセス管理方法。
【手続補正２】
【補正対象書類名】明細書
【補正対象項目名】０００６
【補正方法】変更
【補正の内容】
【０００６】
本発明の手術プロセス管理システムは、手術のプロセスを管理する手術プロセス管理システムであって、複数のプロセス項目からなる手術プロセス全体を管理する手術プロセス管理装置と、患者待機場所での病棟術前処置、手術室への患者搬入、並びに前記手術室からの患者搬出において用いられ、予め決められた複数のプロセス項目を画面表示し、当該プロセス項目の完了を示す操作指示が入力されると、その旨を示す通知信号を前記手術プロセス管理装置に送信する病院部門手術支援装置と、手術室内での手術のプロセス管理に用いられ、予め決められた複数のプロセス項目を画面表示し、当該プロセス項目の完了を示す操作指示が入力されると、その旨を示す通知信号を前記手術プロセス管理装置に送信する手術部門手術記録装置とを有し、前記手術プロセス管理装置は、手術対象の患者の患者識別情報と当該患者の前記手術のプロセスのステータスを示す前記ステータス情報と当該患者の手術台情報と当該患者の手術順情報と当該患者の手術の術者情報と当該患者の手術の術式情報とを対応付けて示す患者管理データと、前記手術室内での術前処置中の前記患者のリストを示す術前患者リスト情報と、前記手術室内での手術中の前記患者のリストを示す手術中患者リスト情報と、前記手術室内での術後処置中の前記患者のリストを示す術後患者リスト情報と、前記病院部門手術支援装置および前記手術部門手術記録装置が管理するプロセス項目の情報と各プロセス項目に要する時間情報とを対応付けて示すプロセスデータと、前記術式情報と当該術式情報の前記術前処置に要する時間情報とを対応付けて示す術前処置時間データとを記憶する第１のメモリと、第１の処理手段とを有し、前記第１の処理手段は、複数の手術台の各々に対応する表示欄を表示し、前記患者管理データを基に、各表示欄内にそれに対応する前記手術台で手術を行う患者の各々についての当該患者の前記患者識別情報と、前記ステータス情報と、前記術者情報と対応付けて手術順に示す手術対象患者情報表示欄を画面表示する処理と、前記術前患者リスト情報、前記手術中患者リスト情報および前記術後患者リスト情報を、それぞれ個別に表示欄として画面表示する処理と、前記病院部門手術支援装置および前記手術部門手術記録装置から前記通知信号に基づいて、前記第１のメモリに記憶された前記ステータス情報、前記術前患者リスト情報、前記手術中患者リスト情報および前記術後患者リスト情報を更新すると共に、前記画面表示された前記ステータス情報、前記術前患者リスト情報、前記手術中患者リスト情報および前記術後患者リスト情報を更新する処理と、前記手術対象患者情報表示欄に表示された前記術前処理対象とする患者の前記患者識別情報が指定操作されて前記術前患者リスト情報の前記表示欄内に移動する操作が行われたことを検出すると、その次に前記術前処理対象とする患者の前記患者識別情報を特定して前記手術対象患者情報表示欄に表示された前記患者識別情報のうち、当該特定した患者識別情報に対応した項目を強調表示する処理と、前記手術部門手術記録装置からの前記通知信号に基づいて、手術中から術後処置に移行した患者の前記患者識別情報が前記手術中患者リスト情報から前記術後患者リスト情報に移行するように前記第１のメモリに記憶された情報を更新すると共に、前記画面表示された前記手術中患者リスト情報および前記術後患者リスト情報を更新する処理と、前記手術部門手術記録装置からの前記通知信号に基づいて、前記術後処置が終了したと判断した患者の前記患者識別情報を前記術後患者リスト情報の表示欄で視覚的に強調する表示する処理と、当該強調した患者識別情報が画面上で指定操作されて画面内の帰室を示す画像ブロック欄に移動する操作が行われたことを示す操作信号を検出すると、当該特定した患者識別情報を前記術後患者リスト情報から削除し、当該患者識別情報に対応した前記ステータス情報を帰室を示すように前記第１のメモリに記憶された情報を更新すると共に、前記画面表示された前記術後患者リスト情報を更新する処理と、前記手術部門手術記録装置からの通知信号と前記プロセスデータとに基づいて、手術中の手術の残りのプロセス項目を特定し、当該特定したプロセス項目に対応付けられた前記時間情報を累積して総時間情報を算出し、前記患者管理データを参照して当該手術の次に行われる手術の前記術式情報を取得し、当該術式情報を検索キーとして用いて前記術前処置時間データを参照して前記取得した術式情報の前記術前処置に要する時間情報を取得する処理と、前記取得した前記術前処置に要する時間情報と前記算出した総時間情報とを比較して、当該比較の結果に基づいて、前記手術対象患者情報表示欄に表示された前記患者識別情報のうち、前記次に手術を行う患者の前記患者式情報に対応した項目の情報を視覚的に強調する処理とを行う。
【手続補正３】
【補正対象書類名】明細書
【補正対象項目名】０００７
【補正方法】変更
【補正の内容】
【０００７】
本発明の手術プロセス管理装置は、複数のプロセス項目からなる手術プロセス全体を管理する手術プロセス管理装置であって、患者待機場所での病棟術前処置、手術室への患者搬入、並びに前記手術室からの患者搬出において用いられ、予め決められた複数のプロセス項目を画面表示し、当該プロセス項目の完了を示す操作指示が入力されると、その旨を示す通知信号を前記手術プロセス管理装置に送信する病院部門手術支援装置と、手術室内での手術のプロセス管理に用いられ、予め決められた複数のプロセス項目を画面表示し、当該プロセス項目の完了を示す操作指示が入力されると、その旨を示す通知信号を前記手術プロセス管理装置に送信する手術部門手術記録装置との間で通信を行うインターフェースと、手術対象の患者の患者識別情報と当該患者の前記手術のプロセスのステータスを示す前記ステータス情報と当該患者の手術台情報と当該患者の手術順情報と当該患者の手術の術者情報と当該患者の手術の術式情報とを対応付けて示す患者管理データと、前記手術室内での術前処置中の前記患者のリストを示す術前患者リスト情報と、前記手術室内での手術中の前記患者のリストを示す手術中患者リスト情報と、前記手術室内での術後処置中の前記患者のリストを示す術後患者リスト情報と、前記病院部門手術支援装置および前記手術部門手術記録装置が管理するプロセス項目の情報と各プロセス項目に要する時間情報とを対応付けて示すプロセスデータと、前記術式情報と当該術式情報の前記術前処置に要する時間情報とを対応付けて示す術前処置時間データとを記憶する第１のメモリとを有し、前記第１の処理手段は、複数の手術台の各々に対応する表示欄を表示し、前記患者管理データを基に、各表示欄内にそれに対応する前記手術台で手術を行う患者の各々についての当該患者の前記患者識別情報と、前記ステータス情報と、前記術者情報と対応付けて手術順に示す手術対象患者情報表示欄を画面表示する処理と、前記術前患者リスト情報、前記手術中患者リスト情報および前記術後患者リスト情報を、それぞれ個別に表示欄として画面表示する処理と、前記病院部門手術支援装置および前記手術部門手術記録装置から前記通知信号に基づいて、前記第１のメモリに記憶された前記ステータス情報、前記術前患者リスト情報、前記手術中患者リスト情報および前記術後患者リスト情報を更新すると共に、前記画面表示された前記ステータス情報、前記術前患者リスト情報、前記手術中患者リスト情報および前記術後患者リスト情報を更新する処理と、前記手術対象患者情報表示欄に表示された前記術前処理対象とする患者の前記患者識別情報が指定操作されて前記術前患者リスト情報の前記表示欄内に移動する操作が行われたことを検出すると、その次に前記術前処理対象とする患者の前記患者識別情報を特定して前記手術対象患者情報表示欄に表示された前記患者識別情報のうち、当該特定した患者識別情報に対応した項目を強調表示する処理と、前記手術部門手術記録装置からの前記通知信号に基づいて、手術中から術後処置に移行した患者の前記患者識別情報が前記手術中患者リスト情報から前記術後患者リスト情報に移行するように前記第１のメモリに記憶された情報を更新すると共に、前記画面表示された前記手術中患者リスト情報および前記術後患者リスト情報を更新する処理と、前記手術部門手術記録装置からの前記通知信号に基づいて、前記術後処置が終了したと判断した患者の前記患者識別情報を前記術後患者リスト情報の表示欄で視覚的に強調する表示する処理と、当該強調した患者識別情報が画面上で指定操作されて画面内の帰室を示す画像ブロック欄に移動する操作が行われたことを示す操作信号を検出すると、当該特定した患者識別情報を前記術後患者リスト情報から削除し、当該患者識別情報に対応した前記ステータス情報を帰室を示すように前記第１のメモリに記憶された情報を更新すると共に、前記画面表示された前記術後患者リスト情報を更新する処理と、前記手術部門手術記録装置からの通知信号と前記プロセスデータとに基づいて、手術中の手術の残りのプロセス項目を特定し、当該特定したプロセス項目に対応付けられた前記時間情報を累積して総時間情報を算出し、前記患者管理データを参照して当該手術の次に行われる手術の前記術式情報を取得し、当該術式情報を検索キーとして用いて前記術前処置時間データを参照して前記取得した術式情報の前記術前処置に要する時間情報を取得する処理と、前記取得した前記術前処置に要する時間情報と前記算出した総時間情報とを比較して、当該比較の結果に基づいて、前記手術対象患者情報表示欄に表示された前記患者識別情報のうち、前記次に手術を行う患者の前記患者式情報に対応した項目の情報を視覚的に強調する処理と  を行う。
【手続補正４】
【補正対象書類名】明細書
【補正対象項目名】０００８
【補正方法】変更
【補正の内容】
【０００８】
本発明の手術プロセス管理方法は、複数のプロセス項目からなる手術プロセス全体を管理する手術プロセス管理装置と、患者待機場所での病棟術前処置、手術室への患者搬入、並びに前記手術室からの患者搬出において用いられ、予め決められた複数のプロセス項目を画面表示し、当該プロセス項目の完了を示す操作指示が入力されると、その旨を示す通知信号を前記手術プロセス管理装置に送信する病院部門手術支援装置と、手術室内での手術のプロセス管理に用いられ、予め決められた複数のプロセス項目を画面表示し、当該プロセス項目の完了を示す操作指示が入力されると、その旨を示す通知信号を前記手術プロセス管理装置に送信する手術部門手術記録装置とを用いて、手術のプロセスを管理する手術プロセス管理方法であって、前記手術プロセス管理装置は、手術対象の患者の患者識別情報と当該患者の前記手術のプロセスのステータスを示す前記ステータス情報と当該患者の手術台情報と当該患者の手術順情報と当該患者の手術の術者情報と当該患者の手術の術式情報とを対応付けて示す患者管理データと、前記手術室内での術前処置中の前記患者のリストを示す術前患者リスト情報と、前記手術室内での手術中の前記患者のリストを示す手術中患者リスト情報と、前記手術室内での術後処置中の前記患者のリストを示す術後患者リスト情報とを記憶するメモリと、処理手段とを有し、複数の手術台の各々に対応する表示欄を表示し、前記患者管理データを基に、各表示欄内にそれに対応する前記手術台で手術を行う患者の各々についての当該患者の前記患者識別情報と、前記ステータス情報と、前記術者情報と対応付けて手術順に示す手術対象患者情報表示欄を画面表示する第１の工程と、前記術前患者リスト情報、前記手術中患者リスト情報および前記術後患者リスト情報を、それぞれ個別に表示欄として画面表示する第２の工程と、前記病院部門手術支援装置および前記手術部門手術記録装置から前記通知信号に基づいて、前記第１のメモリに記憶された前記ステータス情報、前記術前患者リスト情報、前記手術中患者リスト情報および前記術後患者リスト情報を更新すると共に、前記画面表示された前記ステータス情報、前記術前患者リスト情報、前記手術中患者リスト情報および前記術後患者リスト情報を更新する第３の工程と、前記手術対象患者情報表示欄に表示された前記術前処理対象とする患者の前記患者識別情報が指定操作されて前記術前患者リスト情報の前記表示欄内に移動する操作が行われたことを検出すると、その次に前記術前処理対象とする患者の前記患者識別情報を特定して前記手術対象患者情報表示欄に表示された前記患者識別情報のうち、当該特定した患者識別情報に対応した項目を強調表示する第４の工程と、前記手術部門手術記録装置からの前記通知信号に基づいて、手術中から術後処置に移行した患者の前記患者識別情報が前記手術中患者リスト情報から前記術後患者リスト情報に移行するように前記第１のメモリに記憶された情報を更新すると共に、前記画面表示された前記手術中患者リスト情報および前記術後患者リスト情報を更新する第５の工程と、前記手術部門手術記録装置からの前記通知信号に基づいて、前記術後処置が終了したと判断した患者の前記患者識別情報を前記術後患者リスト情報の表示欄で視覚的に強調する表示する第６の工程と、当該強調した患者識別情報が画面上で指定操作されて画面内の帰室を示す画像ブロック欄に移動する操作が行われたことを示す操作信号を検出すると、当該特定した患者識別情報を前記術後患者リスト情報から削除し、当該患者識別情報に対応した前記ステータス情報を帰室を示すように前記第１のメモリに記憶された情報を更新すると共に、前記画面表示された前記術後患者リスト情報を更新する第７の工程と、前記手術部門手術記録装置からの通知信号と前記プロセスデータとに基づいて、手術中の手術の残りのプロセス項目を特定し、当該特定したプロセス項目に対応付けられた前記時間情報を累積して総時間情報を算出し、前記患者管理データを参照して当該手術の次に行われる手術の前記術式情報を取得し、当該術式情報を検索キーとして用いて前記術前処置時間データを参照して前記取得した術式情報の前記術前処置に要する時間情報を取得する第８の工程と、前記取得した前記術前処置に要する時間情報と前記算出した総時間情報とを比較して、当該比較の結果に基づいて、前記手術対象患者情報表示欄に表示された前記患者識別情報のうち、前記次に手術を行う患者の前記患者式情報に対応した項目の情報を視覚的に強調する第９の工程とを前記処理手段が実行する。
【手続補正書】
【提出日】平成23年4月13日(2011.4.13)
【手続補正１】
【補正対象書類名】特許請求の範囲
【補正対象項目名】全文
【補正方法】変更
【補正の内容】
【特許請求の範囲】
【請求項１】
手術のプロセスを管理する手術プロセス管理システムであって、
複数のプロセス項目からなる手術プロセス全体を管理する手術プロセス管理装置と、
患者待機場所での病棟術前処置、手術室への患者搬入、並びに前記手術室からの患者搬出において用いられ、予め決められた複数のプロセス項目を画面表示し、当該プロセス項目の完了を示す操作指示が入力されると、その旨を示す通知信号を前記手術プロセス管理装置に送信する病院部門手術支援装置と、
手術室内での手術のプロセス管理に用いられ、予め決められた複数のプロセス項目を画面表示し、当該プロセス項目の完了を示す操作指示が入力されると、その旨を示す通知信号を前記手術プロセス管理装置に送信する手術部門手術記録装置と
を有し、
前記手術プロセス管理装置は、
手術対象の患者の患者識別情報と当該患者の前記手術のプロセスのステータスを示す前記ステータス情報と当該患者の手術台情報と当該患者の手術順情報と当該患者の手術の術者情報と当該患者の手術の術式情報とを対応付けて示す患者管理データと、前記手術室内での術前処置中の前記患者のリストを示す術前患者リスト情報と、前記手術室内での手術中の前記患者のリストを示す手術中患者リスト情報と、前記手術室内での術後処置中の前記患者のリストを示す術後患者リスト情報と、前記病院部門手術支援装置および前記手術部門手術記録装置が管理するプロセス項目の情報と各プロセス項目に要する時間情報とを対応付けて示すプロセスデータと、前記術式情報と当該術式情報の前記術前処置に要する時間情報とを対応付けて示す術前処置時間データとを記憶する第１のメモリと、
第１の処理手段と
を有し、
前記第１の処理手段は、
複数の手術台の各々に対応する表示欄を表示し、前記患者管理データを基に、各表示欄内にそれに対応する前記手術台で手術を行う患者の各々についての当該患者の前記患者識別情報と、前記ステータス情報と、前記術者情報と対応付けて手術順に示す手術対象患者情報表示欄を画面表示する処理と、
前記術前患者リスト情報、前記手術中患者リスト情報および前記術後患者リスト情報を、それぞれ個別に表示欄として画面表示する処理と、
前記病院部門手術支援装置および前記手術部門手術記録装置から前記通知信号に基づいて、前記第１のメモリに記憶された前記ステータス情報、前記術前患者リスト情報、前記手術中患者リスト情報および前記術後患者リスト情報を更新すると共に、前記画面表示された前記ステータス情報、前記術前患者リスト情報、前記手術中患者リスト情報および前記術後患者リスト情報を更新する処理と、
前記手術対象患者情報表示欄に表示された前記術前処理対象とする患者の前記患者識別情報が指定操作されて前記術前患者リスト情報の前記表示欄内に移動する操作が行われたことを検出すると、その次に前記術前処理対象とする患者の前記患者識別情報を特定して前記手術対象患者情報表示欄に表示された前記患者識別情報のうち、当該特定した患者識別情報に対応した項目を強調表示する処理と、
前記手術部門手術記録装置からの前記通知信号に基づいて、手術中から術後処置に移行した患者の前記患者識別情報が前記手術中患者リスト情報から前記術後患者リスト情報に移行するように前記第１のメモリに記憶された情報を更新すると共に、前記画面表示された前記手術中患者リスト情報および前記術後患者リスト情報を更新する処理と、
前記手術部門手術記録装置からの前記通知信号に基づいて、前記術後処置が終了したと判断した患者の前記患者識別情報を前記術後患者リスト情報の表示欄で視覚的に強調する表示する処理と、
当該強調した患者識別情報が画面上で指定操作されて画面内の帰室を示す画像ブロック欄に移動する操作が行われたことを示す操作信号を検出すると、当該特定した患者識別情報を前記術後患者リスト情報から削除し、当該患者識別情報に対応した前記ステータス情報を帰室を示すように前記第１のメモリに記憶された情報を更新すると共に、前記画面表示された前記術後患者リスト情報を更新する処理と、
前記手術部門手術記録装置からの通知信号と前記プロセスデータとに基づいて、手術中の手術の残りのプロセス項目を特定し、当該特定したプロセス項目に対応付けられた前記時間情報を累積して総時間情報を算出し、前記患者管理データを参照して当該手術の次に行われる手術の前記術式情報を取得し、当該術式情報を検索キーとして用いて前記術前処置時間データを参照して前記取得した術式情報の前記術前処置に要する時間情報を取得する処理と、
前記取得した前記術前処置に要する時間情報と前記算出した総時間情報とを比較して、当該比較の結果に基づいて、前記手術対象患者情報表示欄に表示された前記患者識別情報のうち、前記次に手術を行う患者の前記患者式情報に対応した項目の情報を視覚的に強調する処理と
を行う
手術プロセス管理システム。
【請求項２】
前記病院部門手術支援装置は、
前記患者識別情報と、当該患者識別情報の患者の手術についてコメントできる担当者を示す担当者識別情報と、病院内の当該担当者がいる場所の通信装置とを対応付けて記憶する第２のメモリと、
第２の処理手段と
を有し、
前記第２の処理手段は、
前記患者識別情報に対応した上申入力欄を画面表示し、当該上申入力欄に上申情報が入力されると、
当該画面表示に対応する患者識別情報を検索キーとして、当該患者の手術についてコメントできる前記担当者識別情報を前記第２のメモリを参照して検索し、
当該検索した前記担当者識別情報を基に、病院内の当該担当者がいる場所の前記通信装置を前記第２のメモリを参照して特定し、当該特定した通信装置に前記上申入力欄に入力された前記上申情報を送信し、
前記通信装置から前記上申情報に対応した回答情報を受信すると、当該回答情報を画面表示する
請求項１に記載の手術プロセス管理システム。
【請求項３】
前記病院部門手術支援装置の前記第２の処理手段は、
前記上申入力欄を含む複数の入力欄を画面表示し、
前記上申入力欄の識別情報と、当該上申入力欄に入力された手書の文字パターンを示す手書データと、入力された手書の文字パターンをテキスト変換したテキストデータと、入力された音声データとを対応付けて前記第２のメモリに記憶する
請求項２に記載の手術プロセス管理システム。
【請求項４】
複数のプロセス項目からなる手術プロセス全体を管理する手術プロセス管理装置であって、
患者待機場所での病棟術前処置、手術室への患者搬入、並びに前記手術室からの患者搬出において用いられ、予め決められた複数のプロセス項目を画面表示し、当該プロセス項目の完了を示す操作指示が入力されると、その旨を示す通知信号を前記手術プロセス管理装置に送信する病院部門手術支援装置と、手術室内での手術のプロセス管理に用いられ、予め決められた複数のプロセス項目を画面表示し、当該プロセス項目の完了を示す操作指示が入力されると、その旨を示す通知信号を前記手術プロセス管理装置に送信する手術部門手術記録装置との間で通信を行うインターフェースと、
手術対象の患者の患者識別情報と当該患者の前記手術のプロセスのステータスを示す前記ステータス情報と当該患者の手術台情報と当該患者の手術順情報と当該患者の手術の術者情報と当該患者の手術の術式情報とを対応付けて示す患者管理データと、前記手術室内での術前処置中の前記患者のリストを示す術前患者リスト情報と、前記手術室内での手術中の前記患者のリストを示す手術中患者リスト情報と、前記手術室内での術後処置中の前記患者のリストを示す術後患者リスト情報と、前記病院部門手術支援装置および前記手術部門手術記録装置が管理するプロセス項目の情報と各プロセス項目に要する時間情報とを対応付けて示すプロセスデータと、前記術式情報と当該術式情報の前記術前処置に要する時間情報とを対応付けて示す術前処置時間データとを記憶する第１のメモリと、
第１の処理手段と
を有し、
前記第１の処理手段は、
複数の手術台の各々に対応する表示欄を表示し、前記患者管理データを基に、各表示欄内にそれに対応する前記手術台で手術を行う患者の各々についての当該患者の前記患者識別情報と、前記ステータス情報と、前記術者情報と対応付けて手術順に示す手術対象患者情報表示欄を画面表示する処理と、
前記術前患者リスト情報、前記手術中患者リスト情報および前記術後患者リスト情報を、それぞれ個別に表示欄として画面表示する処理と、
前記病院部門手術支援装置および前記手術部門手術記録装置から前記通知信号に基づいて、前記第１のメモリに記憶された前記ステータス情報、前記術前患者リスト情報、前記手術中患者リスト情報および前記術後患者リスト情報を更新すると共に、前記画面表示された前記ステータス情報、前記術前患者リスト情報、前記手術中患者リスト情報および前記術後患者リスト情報を更新する処理と、
前記手術対象患者情報表示欄に表示された前記術前処理対象とする患者の前記患者識別情報が指定操作されて前記術前患者リスト情報の前記表示欄内に移動する操作が行われたことを検出すると、その次に前記術前処理対象とする患者の前記患者識別情報を特定して前記手術対象患者情報表示欄に表示された前記患者識別情報のうち、当該特定した患者識別情報に対応した項目を強調表示する処理と、
前記手術部門手術記録装置からの前記通知信号に基づいて、手術中から術後処置に移行した患者の前記患者識別情報が前記手術中患者リスト情報から前記術後患者リスト情報に移行するように前記第１のメモリに記憶された情報を更新すると共に、前記画面表示された前記手術中患者リスト情報および前記術後患者リスト情報を更新する処理と、
前記手術部門手術記録装置からの前記通知信号に基づいて、前記術後処置が終了したと判断した患者の前記患者識別情報を前記術後患者リスト情報の表示欄で視覚的に強調する表示する処理と、
当該強調した患者識別情報が画面上で指定操作されて画面内の帰室を示す画像ブロック欄に移動する操作が行われたことを示す操作信号を検出すると、当該特定した患者識別情報を前記術後患者リスト情報から削除し、当該患者識別情報に対応した前記ステータス情報を帰室を示すように前記第１のメモリに記憶された情報を更新すると共に、前記画面表示された前記術後患者リスト情報を更新する処理と、
前記手術部門手術記録装置からの通知信号と前記プロセスデータとに基づいて、手術中の手術の残りのプロセス項目を特定し、当該特定したプロセス項目に対応付けられた前記時間情報を累積して総時間情報を算出し、前記患者管理データを参照して当該手術の次に行われる手術の前記術式情報を取得し、当該術式情報を検索キーとして用いて前記術前処置時間データを参照して前記取得した術式情報の前記術前処置に要する時間情報を取得する処理と、
前記取得した前記術前処置に要する時間情報と前記算出した総時間情報とを比較して、当該比較の結果に基づいて、前記手術対象患者情報表示欄に表示された前記患者識別情報のうち、前記次に手術を行う患者の前記患者式情報に対応した項目の情報を視覚的に強調する処理と
を行う
手術プロセス管理装置。
【請求項５】
複数のプロセス項目からなる手術プロセス全体を管理する手術プロセス管理装置と、
患者待機場所での病棟術前処置、手術室への患者搬入、並びに前記手術室からの患者搬出において用いられ、予め決められた複数のプロセス項目を画面表示し、当該プロセス項目の完了を示す操作指示が入力されると、その旨を示す通知信号を前記手術プロセス管理装置に送信する病院部門手術支援装置と、
手術室内での手術のプロセス管理に用いられ、予め決められた複数のプロセス項目を画面表示し、当該プロセス項目の完了を示す操作指示が入力されると、その旨を示す通知信号を前記手術プロセス管理装置に送信する手術部門手術記録装置と
を用いて、手術のプロセスを管理する手術プロセス管理方法であって、
前記手術プロセス管理装置は、
手術対象の患者の患者識別情報と当該患者の前記手術のプロセスのステータスを示す前記ステータス情報と当該患者の手術台情報と当該患者の手術順情報と当該患者の手術の術者情報と当該患者の手術の術式情報とを対応付けて示す患者管理データと、前記手術室内での術前処置中の前記患者のリストを示す術前患者リスト情報と、前記手術室内での手術中の前記患者のリストを示す手術中患者リスト情報と、前記手術室内での術後処置中の前記患者のリストを示す術後患者リスト情報と、前記病院部門手術支援装置および前記手術部門手術記録装置が管理するプロセス項目の情報と各プロセス項目に要する時間情報とを対応付けて示すプロセスデータと、前記術式情報と当該術式情報の前記術前処置に要する時間情報とを対応付けて示す術前処置時間データとを記憶するメモリと、
処理手段と
を有し、
複数の手術台の各々に対応する表示欄を表示し、前記患者管理データを基に、各表示欄内にそれに対応する前記手術台で手術を行う患者の各々についての当該患者の前記患者識別情報と、前記ステータス情報と、前記術者情報と対応付けて手術順に示す手術対象患者情報表示欄を画面表示する第１の工程と、
前記術前患者リスト情報、前記手術中患者リスト情報および前記術後患者リスト情報を、それぞれ個別に表示欄として画面表示する第２の工程と、
前記病院部門手術支援装置および前記手術部門手術記録装置から前記通知信号に基づいて、前記第１のメモリに記憶された前記ステータス情報、前記術前患者リスト情報、前記手術中患者リスト情報および前記術後患者リスト情報を更新すると共に、前記画面表示された前記ステータス情報、前記術前患者リスト情報、前記手術中患者リスト情報および前記術後患者リスト情報を更新する第３の工程と、
前記手術対象患者情報表示欄に表示された前記術前処理対象とする患者の前記患者識別情報が指定操作されて前記術前患者リスト情報の前記表示欄内に移動する操作が行われたことを検出すると、その次に前記術前処理対象とする患者の前記患者識別情報を特定して前記手術対象患者情報表示欄に表示された前記患者識別情報のうち、当該特定した患者識別情報に対応した項目を強調表示する第４の工程と、
前記手術部門手術記録装置からの前記通知信号に基づいて、手術中から術後処置に移行した患者の前記患者識別情報が前記手術中患者リスト情報から前記術後患者リスト情報に移行するように前記第１のメモリに記憶された情報を更新すると共に、前記画面表示された前記手術中患者リスト情報および前記術後患者リスト情報を更新する第５の工程と、
前記手術部門手術記録装置からの前記通知信号に基づいて、前記術後処置が終了したと判断した患者の前記患者識別情報を前記術後患者リスト情報の表示欄で視覚的に強調する表示する第６の工程と、
当該強調した患者識別情報が画面上で指定操作されて画面内の帰室を示す画像ブロック欄に移動する操作が行われたことを示す操作信号を検出すると、当該特定した患者識別情報を前記術後患者リスト情報から削除し、当該患者識別情報に対応した前記ステータス情報を帰室を示すように前記第１のメモリに記憶された情報を更新すると共に、前記画面表示された前記術後患者リスト情報を更新する第７の工程と、
前記手術部門手術記録装置からの通知信号と前記プロセスデータとに基づいて、手術中の手術の残りのプロセス項目を特定し、当該特定したプロセス項目に対応付けられた前記時間情報を累積して総時間情報を算出し、前記患者管理データを参照して当該手術の次に行われる手術の前記術式情報を取得し、当該術式情報を検索キーとして用いて前記術前処置時間データを参照して前記取得した術式情報の前記術前処置に要する時間情報を取得する第８の工程と、
前記取得した前記術前処置に要する時間情報と前記算出した総時間情報とを比較して、当該比較の結果に基づいて、前記手術対象患者情報表示欄に表示された前記患者識別情報のうち、前記次に手術を行う患者の前記患者式情報に対応した項目の情報を視覚的に強調する第９の工程と
を前記処理手段が実行する
手術プロセス管理方法。
【手続補正２】
【補正対象書類名】明細書
【補正対象項目名】０００７
【補正方法】変更
【補正の内容】
【０００７】
本発明の手術プロセス管理装置は、複数のプロセス項目からなる手術プロセス全体を管理する手術プロセス管理装置であって、患者待機場所での病棟術前処置、手術室への患者搬入、並びに前記手術室からの患者搬出において用いられ、予め決められた複数のプロセス項目を画面表示し、当該プロセス項目の完了を示す操作指示が入力されると、その旨を示す通知信号を前記手術プロセス管理装置に送信する病院部門手術支援装置と、手術室内での手術のプロセス管理に用いられ、予め決められた複数のプロセス項目を画面表示し、当該プロセス項目の完了を示す操作指示が入力されると、その旨を示す通知信号を前記手術プロセス管理装置に送信する手術部門手術記録装置との間で通信を行うインターフェースと、手術対象の患者の患者識別情報と当該患者の前記手術のプロセスのステータスを示す前記ステータス情報と当該患者の手術台情報と当該患者の手術順情報と当該患者の手術の術者情報と当該患者の手術の術式情報とを対応付けて示す患者管理データと、前記手術室内での術前処置中の前記患者のリストを示す術前患者リスト情報と、前記手術室内での手術中の前記患者のリストを示す手術中患者リスト情報と、前記手術室内での術後処置中の前記患者のリストを示す術後患者リスト情報と、前記病院部門手術支援装置および前記手術部門手術記録装置が管理するプロセス項目の情報と各プロセス項目に要する時間情報とを対応付けて示すプロセスデータと、前記術式情報と当該術式情報の前記術前処置に要する時間情報とを対応付けて示す術前処置時間データとを記憶する第１のメモリと、第１の処理手段とを有し、前記第１の処理手段は、複数の手術台の各々に対応する表示欄を表示し、前記患者管理データを基に、各表示欄内にそれに対応する前記手術台で手術を行う患者の各々についての当該患者の前記患者識別情報と、前記ステータス情報と、前記術者情報と対応付けて手術順に示す手術対象患者情報表示欄を画面表示する処理と、前記術前患者リスト情報、前記手術中患者リスト情報および前記術後患者リスト情報を、それぞれ個別に表示欄として画面表示する処理と、前記病院部門手術支援装置および前記手術部門手術記録装置から前記通知信号に基づいて、前記第１のメモリに記憶された前記ステータス情報、前記術前患者リスト情報、前記手術中患者リスト情報および前記術後患者リスト情報を更新すると共に、前記画面表示された前記ステータス情報、前記術前患者リスト情報、前記手術中患者リスト情報および前記術後患者リスト情報を更新する処理と、前記手術対象患者情報表示欄に表示された前記術前処理対象とする患者の前記患者識別情報が指定操作されて前記術前患者リスト情報の前記表示欄内に移動する操作が行われたことを検出すると、その次に前記術前処理対象とする患者の前記患者識別情報を特定して前記手術対象患者情報表示欄に表示された前記患者識別情報のうち、当該特定した患者識別情報に対応した項目を強調表示する処理と、前記手術部門手術記録装置からの前記通知信号に基づいて、手術中から術後処置に移行した患者の前記患者識別情報が前記手術中患者リスト情報から前記術後患者リスト情報に移行するように前記第１のメモリに記憶された情報を更新すると共に、前記画面表示された前記手術中患者リスト情報および前記術後患者リスト情報を更新する処理と、前記手術部門手術記録装置からの前記通知信号に基づいて、前記術後処置が終了したと判断した患者の前記患者識別情報を前記術後患者リスト情報の表示欄で視覚的に強調する表示する処理と、当該強調した患者識別情報が画面上で指定操作されて画面内の帰室を示す画像ブロック欄に移動する操作が行われたことを示す操作信号を検出すると、当該特定した患者識別情報を前記術後患者リスト情報から削除し、当該患者識別情報に対応した前記ステータス情報を帰室を示すように前記第１のメモリに記憶された情報を更新すると共に、前記画面表示された前記術後患者リスト情報を更新する処理と、前記手術部門手術記録装置からの通知信号と前記プロセスデータとに基づいて、手術中の手術の残りのプロセス項目を特定し、当該特定したプロセス項目に対応付けられた前記時間情報を累積して総時間情報を算出し、前記患者管理データを参照して当該手術の次に行われる手術の前記術式情報を取得し、当該術式情報を検索キーとして用いて前記術前処置時間データを参照して前記取得した術式情報の前記術前処置に要する時間情報を取得する処理と、前記取得した前記術前処置に要する時間情報と前記算出した総時間情報とを比較して、当該比較の結果に基づいて、前記手術対象患者情報表示欄に表示された前記患者識別情報のうち、前記次に手術を行う患者の前記患者式情報に対応した項目の情報を視覚的に強調する処理と  を行う。
【手続補正３】
【補正対象書類名】明細書
【補正対象項目名】０００８
【補正方法】変更
【補正の内容】
【０００８】
本発明の手術プロセス管理方法は、複数のプロセス項目からなる手術プロセス全体を管理する手術プロセス管理装置と、患者待機場所での病棟術前処置、手術室への患者搬入、並びに前記手術室からの患者搬出において用いられ、予め決められた複数のプロセス項目を画面表示し、当該プロセス項目の完了を示す操作指示が入力されると、その旨を示す通知信号を前記手術プロセス管理装置に送信する病院部門手術支援装置と、手術室内での手術のプロセス管理に用いられ、予め決められた複数のプロセス項目を画面表示し、当該プロセス項目の完了を示す操作指示が入力されると、その旨を示す通知信号を前記手術プロセス管理装置に送信する手術部門手術記録装置とを用いて、手術のプロセスを管理する手術プロセス管理方法であって、前記手術プロセス管理装置は、手術対象の患者の患者識別情報と当該患者の前記手術のプロセスのステータスを示す前記ステータス情報と当該患者の手術台情報と当該患者の手術順情報と当該患者の手術の術者情報と当該患者の手術の術式情報とを対応付けて示す患者管理データと、前記手術室内での術前処置中の前記患者のリストを示す術前患者リスト情報と、前記手術室内での手術中の前記患者のリストを示す手術中患者リスト情報と、前記手術室内での術後処置中の前記患者のリストを示す術後患者リスト情報と、前記病院部門手術支援装置および前記手術部門手術記録装置が管理するプロセス項目の情報と各プロセス項目に要する時間情報とを対応付けて示すプロセスデータと、前記術式情報と当該術式情報の前記術前処置に要する時間情報とを対応付けて示す術前処置時間データとを記憶するメモリと、処理手段とを有し、複数の手術台の各々に対応する表示欄を表示し、前記患者管理データを基に、各表示欄内にそれに対応する前記手術台で手術を行う患者の各々についての当該患者の前記患者識別情報と、前記ステータス情報と、前記術者情報と対応付けて手術順に示す手術対象患者情報表示欄を画面表示する第１の工程と、前記術前患者リスト情報、前記手術中患者リスト情報および前記術後患者リスト情報を、それぞれ個別に表示欄として画面表示する第２の工程と、前記病院部門手術支援装置および前記手術部門手術記録装置から前記通知信号に基づいて、前記第１のメモリに記憶された前記ステータス情報、前記術前患者リスト情報、前記手術中患者リスト情報および前記術後患者リスト情報を更新すると共に、前記画面表示された前記ステータス情報、前記術前患者リスト情報、前記手術中患者リスト情報および前記術後患者リスト情報を更新する第３の工程と、前記手術対象患者情報表示欄に表示された前記術前処理対象とする患者の前記患者識別情報が指定操作されて前記術前患者リスト情報の前記表示欄内に移動する操作が行われたことを検出すると、その次に前記術前処理対象とする患者の前記患者識別情報を特定して前記手術対象患者情報表示欄に表示された前記患者識別情報のうち、当該特定した患者識別情報に対応した項目を強調表示する第４の工程と、前記手術部門手術記録装置からの前記通知信号に基づいて、手術中から術後処置に移行した患者の前記患者識別情報が前記手術中患者リスト情報から前記術後患者リスト情報に移行するように前記第１のメモリに記憶された情報を更新すると共に、前記画面表示された前記手術中患者リスト情報および前記術後患者リスト情報を更新する第５の工程と、前記手術部門手術記録装置からの前記通知信号に基づいて、前記術後処置が終了したと判断した患者の前記患者識別情報を前記術後患者リスト情報の表示欄で視覚的に強調する表示する第６の工程と、当該強調した患者識別情報が画面上で指定操作されて画面内の帰室を示す画像ブロック欄に移動する操作が行われたことを示す操作信号を検出すると、当該特定した患者識別情報を前記術後患者リスト情報から削除し、当該患者識別情報に対応した前記ステータス情報を帰室を示すように前記第１のメモリに記憶された情報を更新すると共に、前記画面表示された前記術後患者リスト情報を更新する第７の工程と、前記手術部門手術記録装置からの通知信号と前記プロセスデータとに基づいて、手術中の手術の残りのプロセス項目を特定し、当該特定したプロセス項目に対応付けられた前記時間情報を累積して総時間情報を算出し、前記患者管理データを参照して当該手術の次に行われる手術の前記術式情報を取得し、当該術式情報を検索キーとして用いて前記術前処置時間データを参照して前記取得した術式情報の前記術前処置に要する時間情報を取得する第８の工程と、前記取得した前記術前処置に要する時間情報と前記算出した総時間情報とを比較して、当該比較の結果に基づいて、前記手術対象患者情報表示欄に表示された前記患者識別情報のうち、前記次に手術を行う患者の前記患者式情報に対応した項目の情報を視覚的に強調する第９の工程とを前記処理手段が実行する。